(57)【要約】【課題】第１色盲を患う者は濃い赤Ｒ＝２５５、Ｇ＝０、Ｂ＝０は、ほとんど黒に見えて、黒と見分けられない。さらに暖色系の濃い緑は、茶色とほとんど見分けることが困難である。【解決手段】入力信号が濃い赤の場合は、少しだけ白を混ぜた赤Ｒ＝２５５、Ｇ＝５１、Ｂ＝５１や短波長（オレンジ）寄りの朱色Ｒ＝２５５、Ｇ＝５１、Ｂ＝０に補正するための、後段の補正信号値の大小を制御する制御信号生成手段と補正信号を生成する補正信号生成手段とその補正信号により入力信号を補正して出力する補正手段とにより、補正を行い且つ健常者でも違和感の少ない画像信号とすることを特徴とする画像信号補正手段の動作方法。【選択図】  図１
2010021986.tif 000002
【特許請求の範囲】
【請求項１】
請求項１に記載の発明は、３原色信号であるＲ信号、Ｇ信号、Ｂ信号からなる画像信号を入力するＲ入力端子、Ｇ入力端子、Ｂ入力端子と、
Ｂ信号用の所望するＢ基準信号を生成し出力するＢ基準信号生成手段と、
Ｇ信号用の所望するＧ基準信号を生成し出力するＧ基準信号生成手段と、
前記Ｂ入力端子に接続され、入力されるＢ信号とＢ基準信号値とに基づき、Ｂ制御信号を生成し後段へ出力するＢ制御信号生成手段と、
前記Ｇ入力端子に接続され、入力されるＧ信号とＧ基準信号値とに基づき、Ｇ制御信号を生成し後段へ出力するＧ制御信号生成手段と、
前記Ｒ入力端子とＧ入力端子とＢ制御信号生成手段とに接続され、入力されるＲ信号とＧ信号とＢ制御信号とに基づき、Ｇ信号用のＧ補正信号を生成し後段へ出力するＧ補正信号生成手段と、
前記Ｒ入力端子とＢ入力端子とＧ制御信号生成手段とに接続され、入力されるＲ信号とＢ信号とＧ制御信号とに基づき、Ｂ信号用のＢ補正信号を生成し後段へ出力するＢ補正信号生成手段と、
前記Ｇ入力端子とＧ補正信号生成手段とに接続され、入力されるＧ補正信号に基づき、Ｇ入力端子から入力されるＧ信号の補正を行い補正後の信号を出力するＧ補正手段と、
前記Ｂ入力端子とＢ補正信号生成手段とに接続され、入力されるＢ補正信号に基づき、Ｂ入力端子から入力されるＢ信号の補正を行い補正後の信号を出力するＢ補正手段と、
前記Ｒ入力端子に接続されたＲ信号を出力するＲ出力端子と、
前記Ｇ補正手段に接続されたＧ信号を出力するＧ出力端子と、
前記Ｂ補正手段に接続されたＢ信号を出力するＢ出力端子と、を備えた画像信号補正手段が行う画像信号補正方法であって、
当該Ｂ制御信号生成手段が、Ｂ信号値がＢ基準信号値より大きい場合にはＢ制御信号は生成せず、Ｂ信号値がＢ基準信号値より小さい場合にはＢ制御信号を生成し、そのＢ制御信号は、Ｂ信号値に逆比例し、且つ、Ｂ信号値とＢ基準信号値との差分値に比例するＢ制御信号を生成するステップ、
当該Ｇ制御信号生成手段が、Ｇ信号値がＧ基準信号値より大きい場合にはＧ制御信号は生成せず、Ｇ信号値がＧ基準信号値より小さい場合にはＧ制御信号を生成し、そのＧ制御信号は、Ｇ信号値に逆比例し、且つ、Ｇ信号値とＧ基準信号値との差分値に比例するＧ制御信号を生成するステップ、
当該Ｇ補正信号生成手段が、Ｒ信号値がＧ信号値を所望する係数ＧＫ１倍した値より小さい場合にはＧ補正信号は生成せず、Ｒ信号値がＧ信号値を所望する係数ＧＫ１倍した値より大きい場合にはＧ補正信号を生成し、
そのＧ補正信号は、Ｒ信号値が大きいほど若しくはＧ信号値が小さいほど生成されるＧ補正信号値は大きくなり、逆にＲ信号値が小さいほど若しくはＧ信号値が大きいほど生成されるＧ補正信号値は小さくなる、つまり、Ｒ信号値に比例し、且つ、Ｇ信号値に逆比例し、且つ、さらに係数ＧＫ１にてＲ信号値とＧ信号値との関係から補正信号値と補正範囲が調整される演算結果を、
所望する係数ＧＫ２で除算することにより大きさを調整し、さらに、Ｂ制御信号で値の大きさを制御された、つまり、所望する係数ＧＫ２に逆比例し、且つ、Ｂ制御信号に比例するＧ補正信号を生成するステップ、
当該Ｂ補正信号生成手段が、Ｒ信号値がＢ信号値を所望する係数ＢＫ１倍した値より小さい場合にはＢ補正信号は生成せず、Ｒ信号値がＢ信号値を所望する係数ＢＫ１倍した値より大きい場合にはＢ補正信号を生成し、
そのＢ補正信号は、Ｒ信号値が大きいほど若しくはＢ信号値が小さいほど生成されるＢ補正信号値は大きくなり、逆にＲ信号値が小さいほど若しくはＢ信号値が大きいほど生成されるＢ補正信号値は小さくなる、つまり、Ｒ信号値に比例し、且つ、Ｂ信号値に逆比例し、且つ、さらに係数ＢＫ１にてＲ信号値とＢ信号値との関係から補正信号値と補正範囲が調整される演算結果を、
所望する係数ＢＫ２で除算することにより大きさを調整し、さらに、Ｇ制御信号で値の大きさを制御された、つまり、所望する係数ＢＫ２に逆比例し、且つ、Ｇ制御信号に比例するＢ補正信号を生成するステップ、
当該Ｇ補正手段が、入力されるＧ信号にＧ補正信号を加算する補正を行い、補正後のＧ信号を出力するステップ、
当該Ｂ補正手段が、入力されるＢ信号にＢ補正信号を加算する補正を行い、補正後のＢ信号を出力するステップ、
を実行することを特徴とする画像信号補正手段の画像信号補正方法。
【請求項２】
請求項２に記載の発明は、３原色信号であるＲ信号、Ｇ信号、Ｂ信号からなる画像信号を入力するＲ入力端子、Ｇ入力端子、Ｂ入力端子と、
Ｒ信号用の所望するＲ基準信号を生成し出力するＲ基準信号生成手段と、
前記Ｒ入力端子に接続され、入力されるＲ信号とＲ基準信号値とに基づき、Ｒ制御信号を生成し後段へ出力するＲ制御信号生成手段と、
前記Ｇ入力端子とＢ入力端子とＲ制御信号生成手段とに接続され、入力されるＧ信号とＢ信号とＲ制御信号とに基づき、Ｂ信号用のＢ補正信号を生成し後段へ出力するＢ補正信号生成手段と、
前記Ｂ入力端子とＢ補正信号生成手段とに接続され、入力されるＢ補正信号に基づき、Ｂ入力端子から入力されるＢ信号の補正を行い補正後の信号を出力するＢ補正手段と、
前記Ｒ入力端子に接続されたＲ信号を出力するＲ出力端子と、
前記Ｇ入力端子に接続されたＧ信号を出力するＧ出力端子と、
前記Ｂ補正手段に接続されたＢ信号を出力するＢ出力端子と、を備えた画像信号補正手段が行う画像信号補正方法であって、
当該Ｒ制御信号生成手段が、Ｒ信号値がＲ基準信号値より大きい場合にはＲ制御信号は生成せず、Ｒ信号値がＲ基準信号値より小さい場合にはＲ制御信号を生成し、そのＲ制御信号は、Ｒ信号値に逆比例し、且つ、Ｒ信号値とＲ基準信号値との差分値に比例するＲ制御信号を生成するステップ、
当該Ｂ補正信号生成手段が、Ｇ信号値がＢ信号値を所望する係数ＢＫ１倍した値より小さい場合にはＢ補正信号は生成せず、Ｇ信号値がＢ信号値を所望する係数ＢＫ１倍した値より大きい場合にはＢ補正信号を生成し、
そのＢ補正信号は、Ｇ信号値が大きいほど若しくはＢ信号値が小さいほど生成されるＢ補正信号値は大きくなり、逆にＧ信号値が小さいほど若しくはＢ信号値が大きいほど生成される補正信号値は小さくなる、つまり、Ｇ信号値に比例し、且つ、Ｂ信号値に逆比例し、且つ、さらに係数ＢＫ１にてＧ信号値とＢ信号値との関係から補正信号値と補正範囲が調整される演算結果を、
所望する係数ＢＫ２で除算することにより大きさを調整し、さらに、Ｒ制御信号で値の大きさを制御された、つまり、所望する係数ＢＫ２に逆比例し、且つ、Ｒ制御信号に比例するＢ補正信号を生成するステップ、
当該Ｂ補正手段が、入力されるＢ信号にＢ補正信号を加算する補正を行い、補正後のＢ信号を出力するステップ、
を実行することを特徴とする画像信号補正手段の画像信号補正方法。
【請求項３】
請求項３に記載の発明は、３原色信号であるＲ信号、Ｇ信号、Ｂ信号からなる画像信号を入力するＲ入力端子、Ｇ入力端子、Ｂ入力端子と、
Ｇ信号用の所望するＧ基準信号を生成し出力するＧ基準信号生成手段と、
Ｒ信号用の所望するＲ基準信号を生成し出力するＲ基準信号生成手段と、
前記Ｇ入力端子に接続され、入力されるＧ信号とＧ基準信号値とに基づき、Ｇ制御信号を生成し後段へ出力するＧ制御信号生成手段と、
前記Ｒ入力端子に接続され、入力されるＲ信号とＲ基準信号値とに基づき、Ｒ制御信号を生成し後段へ出力するＲ制御信号生成手段と、
前記Ｒ入力端子とＢ入力端子とＧ制御信号生成手段とに接続され、入力されるＲ信号とＢ信号とＧ制御信号とに基づき、Ｒ信号用のＲ補正信号を生成し後段へ出力するＲ補正信号生成手段と、
前記Ｇ入力端子とＢ入力端子とＲ制御信号生成手段とに接続され、入力されるＧ信号とＢ信号とＲ制御信号とに基づき、Ｇ信号用のＧ補正信号を生成し後段へ出力するＧ補正信号生成手段と、
前記Ｒ入力端子とＲ補正信号生成手段とに接続され、入力されるＲ補正信号に基づきＲ入力端子から入力されるＲ信号の補正を行い、補正後の信号を出力するＲ補正手段と、
前記Ｇ入力端子とＧ補正信号生成手段とに接続され、入力されるＧ補正信号に基づきＧ入力端子から入力されるＧ信号の補正を行い、補正後の信号を出力するＧ補正手段と、
前記Ｒ補正手段に接続されたＲ信号を出力するＲ出力端子と、
前記Ｇ補正手段に接続されたＧ信号を出力するＧ出力端子と、
前記Ｂ入力端子に接続されたＢ信号を出力するＢ出力端子と、を備えた画像信号補正手段が行う画像信号補正方法であって、
当該Ｇ制御信号生成手段が、Ｇ信号値がＧ基準信号値より大きい場合にはＧ制御信号は生成せず、Ｇ信号値がＧ基準信号値より小さい場合にはＧ制御信号を生成し、そのＧ制御信号は、Ｇ信号値に逆比例し、且つ、Ｇ信号値とＧ基準信号値との差分値に比例するＧ制御信号を生成するステップ、
当該Ｒ制御信号生成手段が、Ｒ信号値がＲ基準信号値より大きい場合にはＲ制御信号は生成せず、Ｒ信号値がＲ基準信号値より小さい場合にはＲ制御信号を生成し、そのＲ制御信号は、Ｒ信号値に逆比例し、且つ、Ｒ信号値とＲ基準信号値との差分値に比例するＲ制御信号を生成するステップ、
当該Ｒ補正信号生成手段が、Ｂ信号値がＲ信号値を所望する係数ＲＫ１倍した値より小さい場合にはＲ補正信号は生成せず、Ｂ信号値がＲ信号値を所望する係数ＲＫ１倍した値より大きい場合にはＲ補正信号は生成し、
そのＲ補正信号は、Ｂ信号値が大きいほど若しくはＲ信号値が小さいほど生成される補正信号値は大きくなり、逆にＢ信号値が小さいほど若しくはＲ信号値が大きいほど生成される補正信号値は小さくなる、つまり、Ｂ信号値に比例し、且つ、Ｒ信号値に逆比例し、且つ、さらに係数ＲＫ１にてＢ信号値とＲ信号値との関係から補正信号値と補正範囲が調整される演算結果を、
所望する係数ＲＫ２で除算することにより大きさを調整し、さらに、Ｇ制御信号で値の大きさを制御された、つまり、所望する係数ＢＫ２に逆比例し、且つ、Ｇ制御信号に比例するＲ補正信号を生成するステップ、
当該Ｇ補正信号生成手段が、Ｂ信号値がＧ信号値を所望する係数ＧＫ１倍した値より小さい場合にはＧ補正信号は生成せず、Ｂ信号値がＧ信号値を所望する係数ＧＫ１倍した値より大きい場合にはＧ補正信号は生成し、
そのＧ補正信号は、Ｂ信号値が大きいほど若しくはＧ信号値が小さいほど生成される補正信号値は大きくなり、逆にＢ信号値が小さいほど若しくはＧ信号値が大きいほど生成される補正信号値は小さくなる、つまり、Ｂ信号値に比例し、且つ、Ｇ信号値に逆比例し、且つ、さらに係数ＧＫ１にてＢ信号値とＧ信号値との関係から補正信号値と補正範囲が調整される演算結果を、
所望する係数ＧＫ２で除算することにより大きさを調整し、さらに、Ｒ制御信号で値の大きさを制御された、つまり、所望する係数ＧＫ２に逆比例し、且つ、Ｒ制御信号に比例するＧ補正信号を生成するステップ、
当該Ｒ補正手段が、入力されるＲ信号にＲ補正信号を加算する補正を行い、補正後のＲ信号を出力するステップ、
当該Ｇ補正手段が、入力されるＧ信号にＧ補正信号を加算する補正を行い、補正後のＧ信号を出力するステップ、
を実行することを特徴とする画像信号補正手段の画像信号補正方法。
【請求項４】
請求項４に記載の発明は、３原色信号であるＲ信号、Ｇ信号、Ｂ信号からなる画像信号を入力するＲ入力端子、Ｇ入力端子、Ｂ入力端子と、
前記Ｂ入力端子に接続され、入力されるＢ信号と予め内部に設定されたＢ基準信号値とに基づき、Ｂ制御信号を生成し後段へ出力するＢ制御信号生成手段と、
前記Ｇ入力端子に接続され、入力されるＧ信号と予め内部に設定されたＧ基準信号値とに基づき、Ｇ制御信号を生成し後段へ出力するＧ制御信号生成手段と、
前記Ｒ入力端子とＧ入力端子とＢ制御信号生成手段とに接続され、入力されるＲ信号とＧ信号とＢ制御信号と予め内部に設定されたＧ基準信号値とに基づき、Ｇ信号用のＧ補正信号を生成し後段へ出力するＧ補正信号生成手段と、
前記Ｒ入力端子とＢ入力端子とＧ制御信号生成手段とに接続され、入力されるＲ信号とＢ信号とＧ制御信号と予め内部に設定されたＢ基準信号値とに基づき、Ｂ信号用のＢ補正信号を生成し後段へ出力するＢ補正信号生成手段と、
前記Ｇ入力端子とＧ補正信号生成手段とに接続され、入力されるＧ補正信号に基づき、Ｇ入力端子から入力されるＧ信号の補正を行い補正後の信号を出力するＧ補正手段と、
前記Ｂ入力端子とＢ補正信号生成手段とに接続され、入力されるＢ補正信号に基づき、Ｂ入力端子から入力されるＢ信号の補正を行い補正後の信号を出力するＢ補正手段と、
前記Ｒ入力端子に接続されたＲ信号を出力するＲ出力端子と、
前記Ｇ補正手段に接続されたＧ信号を出力するＧ出力端子と、
前記Ｂ補正手段に接続されたＢ信号を出力するＢ出力端子と、を備えた画像信号補正手段が行う画像信号補正方法であって、
当該Ｂ制御信号生成手段が、Ｂ信号値がＢ基準信号値より大きい場合にはＢ制御信号は生成せず、Ｂ信号値がＢ基準信号値より小さい場合にはＢ制御信号を生成し、そのＢ制御信号は、Ｂ信号値に逆比例し、且つ、Ｂ信号値とＢ基準信号値との差分値に比例するＢ制御信号を生成するステップ、
当該Ｇ制御信号生成手段が、Ｇ信号値がＧ基準信号値より大きい場合にはＧ制御信号は生成せず、Ｇ信号値がＧ基準信号値より小さい場合にはＧ制御信号を生成し、そのＧ制御信号は、Ｇ信号値に逆比例し、且つ、Ｇ信号値とＧ基準信号値との差分値に比例するＧ制御信号を生成するステップ、
当該Ｇ補正信号生成手段が、Ｒ信号とＧ信号と予め内部に設定されたＧ基準信号値とＢ制御信号とに基づき、Ｇ信号がＧ基準信号値より大きい場合には補正信号は生成せず、Ｇ信号がＧ基準信号より小さい場合にはＧ補正信号を生成し、
そのＧ補正信号は、Ｒ信号値に比例し、且つ、Ｇ信号値に逆比例し、且つ、Ｇ信号値とＧ基準信号値との差分値に比例し、且つ、Ｂ制御信号に比例し、且つ、所望する係数にて演算を行い値の大きさを調整されて生成されるステップ
当該Ｂ補正信号生成手段が、Ｒ信号とＢ信号と予め内部に設定されたＢ基準信号値とＧ制御信号とに基づき、Ｂ信号がＢ基準信号値より大きい場合には補正信号は生成せず、Ｂ信号がＢ基準信号より小さい場合にはＢ補正信号を生成し、
そのＢ補正信号は、Ｒ信号値に比例し、且つ、Ｂ信号値に逆比例し、且つ、Ｂ信号値とＢ基準信号値との差分値に比例し、且つ、Ｇ制御信号に比例し、且つ、所望する係数にて演算を行い値の大きさを調整されて生成されるステップ
当該Ｇ補正手段が、入力されるＧ信号にＧ補正信号を加算する補正を行い、補正後のＧ信号を出力するステップ、
当該Ｂ補正手段が、入力されるＢ信号にＢ補正信号を加算する補正を行い、補正後のＢ信号を出力するステップ、
を実行することを特徴とする画像信号補正手段の画像信号補正方法。
【請求項５】
請求項５に記載の発明は、３原色信号であるＲ信号、Ｇ信号、Ｂ信号からなる画像信号を入力するＲ入力端子、Ｇ入力端子、Ｂ入力端子と、
前記Ｒ入力端子に接続され、入力されるＲ信号と予め内部に設定されたＲ基準信号値とに基づき、Ｒ制御信号を生成し後段へ出力するＲ制御信号生成手段と、
前記Ｇ入力端子とＢ入力端子とＲ制御信号生成手段とに接続され、入力されるＧ信号とＢ信号とＲ制御信号と予め内部に設定されたＢ基準信号値とに基づき、Ｂ信号用のＢ補正信号を生成し後段へ出力するＢ補正信号生成手段と、
前記Ｂ入力端子とＢ補正信号生成手段とに接続され、入力されるＢ補正信号に基づき、Ｂ入力端子から入力されるＢ信号の補正を行い補正後の信号を出力するＢ補正手段と、
前記Ｒ入力端子に接続されたＲ信号を出力するＲ出力端子と、
前記Ｇ入力端子に接続されたＧ信号を出力するＧ出力端子と、
前記Ｂ補正手段に接続されたＢ信号を出力するＢ出力端子と、を備えた画像信号補正手段が行う画像信号補正方法であって、
当該Ｒ制御信号生成手段が、Ｒ信号値がＲ基準信号値より大きい場合にはＲ制御信号は生成せず、Ｒ信号値がＲ基準信号値より小さい場合にはＲ制御信号を生成し、そのＲ制御信号は、Ｒ信号値に逆比例し且つＲ信号値とＲ基準信号値との差分値に比例するＲ制御信号を生成するステップ、
当該Ｂ補正信号生成手段が、Ｇ信号とＢ信号と予め内部に設定されたＢ基準信号値とＲ制御信号とに基づき、Ｂ信号がＢ基準信号値より大きい場合には補正信号は生成せず、Ｂ信号がＢ基準信号より小さい場合にはＢ補正信号を生成し、
そのＢ補正信号は、Ｇ信号値に比例し、且つ、Ｂ信号値に逆比例し、且つ、Ｂ信号値とＢ基準信号値との差分値に比例し、且つ、Ｒ制御信号に比例し、且つ、所望する係数にて演算を行い値の大きさを調整されて生成されるステップ
当該Ｂ補正手段が、入力されるＢ信号にＢ補正信号を加算する補正を行い、補正後のＢ信号を出力するステップ、
を実行することを特徴とする画像信号補正手段の画像信号補正方法。
【請求項６】
請求項６に記載の発明は、３原色信号であるＲ信号、Ｇ信号、Ｂ信号からなる画像信号を入力するＲ入力端子、Ｇ入力端子、Ｂ入力端子と、
前記Ｇ入力端子に接続され、入力されるＧ信号と予め内部に設定されたＧ基準信号値とに基づき、Ｇ制御信号を生成し後段へ出力するＧ制御信号生成手段と、
前記Ｒ入力端子に接続され、入力されるＲ信号と予め内部に設定されたＲ基準信号値とに基づき、Ｒ制御信号を生成し後段へ出力するＲ制御信号生成手段と、
前記Ｒ入力端子とＢ入力端子とＧ制御信号生成手段とに接続され、入力されるＢ信号とＲ信号とＧ制御信号と予め内部に設定されたＲ基準信号値とに基づき、Ｒ信号用のＲ補正信号を生成し後段へ出力するＲ補正信号生成手段と、
前記Ｇ入力端子とＢ入力端子とＲ制御信号生成手段とに接続され、入力されるＢ信号とＧ信号とＲ制御信号と予め内部に設定されたＧ基準信号値とに基づき、Ｇ信号用のＧ補正信号を生成し後段へ出力するＧ補正信号生成手段と、
前記Ｒ入力端子とＲ補正信号生成手段とに接続され、入力されるＲ補正信号に基づきＲ入力端子から入力されるＲ信号の補正を行い、補正後の信号を出力するＲ補正手段と、
前記Ｇ入力端子とＧ補正信号生成手段とに接続され、入力されるＧ補正信号に基づきＧ入力端子から入力されるＧ信号の補正を行い、補正後の信号を出力するＧ補正手段と、
前記Ｒ補正手段に接続されたＲ信号を出力するＲ出力端子と、
前記Ｇ補正手段に接続されたＧ信号を出力するＧ出力端子と、
前記Ｂ入力端子に接続されたＢ信号を出力するＢ出力端子と、を備えた画像信号補正手段が行う画像信号補正方法であって、
当該Ｇ制御信号生成手段が、Ｇ信号値がＧ基準信号値より大きい場合にはＧ制御信号は生成せず、Ｇ信号値がＧ基準信号値より小さい場合にはＧ制御信号を生成し、そのＧ制御信号は、Ｇ信号値に逆比例し、且つ、Ｇ信号値とＧ基準信号値との差分値に比例するＧ制御信号を生成するステップ、
当該Ｒ制御信号生成手段が、Ｒ信号値がＲ基準信号値より大きい場合にはＲ制御信号は生成せず、Ｒ信号値がＲ基準信号値より小さい場合にはＲ制御信号を生成し、そのＲ制御信号は、Ｒ信号値に逆比例し、且つ、Ｒ信号値とＲ基準信号値との差分値に比例するＲ制御信号を生成するステップ、
当該Ｒ補正信号生成手段が、Ｂ信号とＲ信号と予め内部に設定されたＲ基準信号値とＧ制御信号とに基づき、Ｒ信号がＲ基準信号値より大きい場合には補正信号は生成せず、Ｒ信号がＲ基準信号より小さい場合にはＲ補正信号を生成し、
そのＲ補正信号は、Ｂ信号値に比例し、且つ、Ｇ信号値に逆比例し、且つ、Ｇ信号値とＧ基準信号値との差分値に比例し、且つ、Ｇ制御信号に比例し、且つ、所望する係数にて演算を行い値の大きさを調整されて生成されるステップ
当該Ｇ補正信号生成手段が、Ｂ信号とＧ信号と予め内部に設定されたＧ基準信号値とＲ制御信号とに基づき、Ｇ信号がＧ基準信号値より大きい場合には補正信号は生成せず、Ｇ信号がＧ基準信号より小さい場合にはＧ補正信号を生成し、
そのＧ補正信号は、Ｂ信号値に比例し、且つ、Ｇ信号値に逆比例し、且つ、Ｇ信号値とＧ基準信号値との差分値に比例し、且つ、Ｒ制御信号に比例し、且つ、所望する係数にて演算を行い値の大きさを調整されて生成されるステップ
当該Ｒ補正手段が、入力されるＲ信号にＲ補正信号を加算する補正を行い、補正後のＲ信号を出力するステップ、
当該Ｇ補正手段が、入力されるＧ信号にＧ補正信号を加算する補正を行い、補正後のＧ信号を出力するステップ、
を実行することを特徴とする画像信号補正手段の画像信号補正方法。
【発明の詳細な説明】
【技術分野】
【０００１】
本発明は、表示装置等に利用されている画像信号の信号補正方法に関する。
【背景技術】
【０００２】
従来の表示装置は、３原色信号であるＲ（赤）信号、Ｇ（緑）信号、Ｂ（青）信号にて、被写体の色を忠実に再現する処理が行われていた。
又、画質調整処理として所望する色を調整することが可能であったが、一定の割合で補正を行うことや、特定の色を特定の色に変換すること等が行われている。
尚、表示装置にて一般的に採用されている画像信号としてＲ信号、Ｇ信号、Ｂ信号や、Ｙ（輝度信号）、ＣｂＣｒ（色）信号等がある。これらのＲ信号、Ｇ信号、Ｂ信号等の表し方としては、デジタルで表した一例として８ｂｉｔで表すと０から２５５、アナログで表すと０から１の実数、さらに０％から１００％等の表し方がある。さらには、ｘｖＹＣＣ規格の様な、さらに広い色域を表すことも規格化されている。つまりアナログで表すと０以下の負の実数、若しくは１以上の実数で表わされる色域も利用されている。
以後表記は、特にことわり無き場合は、デジタル８ｂｉｔで量子化した０〜２５５で表記する。小数点以下は四捨五入して整数で表すものとする。
【０００３】
この３原色信号であるＲ信号、Ｇ信号、Ｂ信号からなる画像信号を、忠実に再現することは健常者である一般色覚者にとっては好ましいことである。
しかし色盲を患う者には、必ずしも色を忠実に再現するのが良いとは限らない。例えば第１色盲を患う者は濃い赤（Ｒ＝２５５、Ｇ＝０、Ｂ＝０）は、ほとんど黒に見える。さらに緑は、黄色みがかった暖色系の緑から青みがかった寒色系の緑まで、様々な色あいがある。この中で暖色系の濃い緑は、色盲の人には茶色とほとんど見分けがつかない。鮮やかな緑である抹茶色は、色盲の人には真っ茶色に見えることがある。日本の夏の広葉樹林の深い緑も、茶色と見分けがつかない。
さらに第３色盲を患う者は濃い青は、ほとんど黒に見える。
尚、濃いとは、その色以外の他の色成分を含まない状態の、純粋な色であることを意味する。
又、あらかじめ登録された色盲 および色弱者にとって誤認傾向のある色に関する情報を参照して、入力された画像データに誤認要因となる色が含まれているか判断し画像データの色を所定の色に変換する考案がされている。
さらに、所望する色信号が所望する基準信号値より小さいとき、その所望する色信号値と所望する色信号以外の別な色信号値とに応じて生成された補正信号により、所望する色信号の補正を行う考案がされている。
【先行技術文献】
【特許文献】
【０００４】
【特許文献１】特開平１１−１７５０５０号広報
【特許文献２】特開２０００−３０６０７４号広報
【特許文献３】特許４１３９４３３号広報
【特許文献４】国際公開第２００８/０３２５２８号
【特許文献５】特願２００６―１５７３０１
【発明の概要】
【発明が解決しようとする課題】
【０００５】
３原色信号であるＲ信号、Ｇ信号、Ｂ信号からなる画像信号を、忠実に再現することは健常者にとっては好ましいことである。しかし色盲を患う者には、必ずしも色を忠実に再現するのが良いとは限らない。
例えば赤錐体が機能しない第１色盲を患う者は濃い赤（Ｒ＝２５５、Ｇ＝０、Ｂ＝０）は、ほとんど黒に見える。この濃い赤は使わずに、少しだけ白を混ぜた明るい赤（Ｒ＝２５５、Ｇ＝５１、Ｂ＝５１）や短波長（オレンジ）寄りの朱色（Ｒ＝２５５、Ｇ＝５１、Ｂ＝０）を使うと、同じ赤でも緑視物質や青視物質を刺激することが可能となり、黒と分別が可能になる。例えば黒い文字列の中でも明るい赤の文字であれば強調され、暗い背景の中でも文字が読めるようになる。
さらに赤錐体が機能しない第１色盲を患う者は、緑は黄色みがかった暖色系の緑から青みがかった寒色系の緑まで、様々な色あいがあるが、この中で暖色系の濃い緑は、茶色とほとんど見分けがつかない。鮮やかな緑である抹茶色は、真っ茶色に見えることがある。日本の夏の広葉樹林の深い緑も、茶色と見分けがつかない。一方道路標識の緑のように青みが強い緑は、茶色と間違えにくい。また明るい緑は，暖色系だと黄色や赤と間違えることがあるが、青みが強ければ間違えにくい。道路標識や交通信号は、同じ緑でも青みの強い色に限ることが定められている。
さらに青錐体が機能しない第３色盲を患う者は濃い青は、ほとんど黒に見える。この濃い青は使わずに、少しだけ白を混ぜた明るい青（Ｒ＝５１、Ｇ＝５１、Ｂ＝２５５）を使うと，同じ青でも緑視物質や赤視物質を刺激することが可能となり、黒と分別が可能になる。例えば黒い文字列の中でも明るい青の文字であれば強調され、暗い背景の中でも文字が読めるようになる。
一方、以上のように見えにくい色成分を強調して混ぜると色覚異常者には見やすくなるものの、逆に、健常者には違和感を生じさせることになる。従って、どの程度の強調をどの範囲で行うかが重要となるが、そのような配慮について今まで十分な検討はなされておらず、且つ、そのような配慮を自動的に行う処理方法は実現されていなかった。
この発明は、上記の事情に鑑みてなされたものであり、視覚に病を患う者に見やすい画像に補正して表示し、且つ、健常者にとっても違和感の少ない表示を可能とすること、が可能な表示装置のための信号補正方法の提供を目的とする。
【課題を解決するための手段】
【０００６】
本発明は、画像信号の３原色信号であるＲ信号、Ｇ信号、Ｂ信号の内の所望する色信号を補正する際に、所望する色信号値と所望する色信号以外の色信号値とに応じた補正信号を生成し、さらにその二色以外の色信号値と所望する基準信号値とから生成された制御信号により、補正量の大小を制御して入力の画像信号に補正を行うことを最も主要な特徴とする。その詳細は以下に示す。
【０００７】
請求項１に記載の発明は、３原色信号であるＲ信号、Ｇ信号、Ｂ信号からなる画像信号を入力するＲ入力端子、Ｇ入力端子、Ｂ入力端子と、
Ｂ信号用の所望するＢ基準信号を生成し出力するＢ基準信号生成手段と、
Ｇ信号用の所望するＧ基準信号を生成し出力するＧ基準信号生成手段と、
前記Ｂ入力端子に接続され、入力されるＢ信号とＢ基準信号値とに基づき、Ｂ制御信号を生成し後段へ出力するＢ制御信号生成手段と、
前記Ｇ入力端子に接続され、入力されるＧ信号とＧ基準信号値とに基づき、Ｇ制御信号を生成し後段へ出力するＧ制御信号生成手段と、
前記Ｒ入力端子とＧ入力端子とＢ制御信号生成手段とに接続され、入力されるＲ信号とＧ信号とＢ制御信号とに基づき、Ｇ信号用のＧ補正信号を生成し後段へ出力するＧ補正信号生成手段と、
前記Ｒ入力端子とＢ入力端子とＧ制御信号生成手段とに接続され、入力されるＲ信号とＢ信号とＧ制御信号とに基づき、Ｂ信号用のＢ補正信号を生成し後段へ出力するＢ補正信号生成手段と、
前記Ｇ入力端子とＧ補正信号生成手段とに接続され、入力されるＧ補正信号に基づき、Ｇ入力端子から入力されるＧ信号の補正を行い補正後の信号を出力するＧ補正手段と、
前記Ｂ入力端子とＢ補正信号生成手段とに接続され、入力されるＢ補正信号に基づき、Ｂ入力端子から入力されるＢ信号の補正を行い補正後の信号を出力するＢ補正手段と、
前記Ｒ入力端子に接続されたＲ信号を出力するＲ出力端子と、
前記Ｇ補正手段に接続されたＧ信号を出力するＧ出力端子と、
前記Ｂ補正手段に接続されたＢ信号を出力するＢ出力端子と、を備えた画像信号補正手段が行う画像信号補正方法であって、
当該Ｂ制御信号生成手段が、Ｂ信号値がＢ基準信号値より大きい場合にはＢ制御信号は生成せず、Ｂ信号値がＢ基準信号値より小さい場合にはＢ制御信号を生成し、そのＢ制御信号は、Ｂ信号値に逆比例し、且つ、Ｂ信号値とＢ基準信号値との差分値に比例するＢ制御信号を生成するステップ、
当該Ｇ制御信号生成手段が、Ｇ信号値がＧ基準信号値より大きい場合にはＧ制御信号は生成せず、Ｇ信号値がＧ基準信号値より小さい場合にはＧ制御信号を生成し、そのＧ制御信号は、Ｇ信号値に逆比例し、且つ、Ｇ信号値とＧ基準信号値との差分値に比例するＧ制御信号を生成するステップ、
当該Ｇ補正信号生成手段が、Ｒ信号値がＧ信号値を所望する係数ＧＫ１倍した値より小さい場合にはＧ補正信号は生成せず、Ｒ信号値がＧ信号値を所望する係数ＧＫ１倍した値より大きい場合にはＧ補正信号を生成し、
そのＧ補正信号は、Ｒ信号値が大きいほど若しくはＧ信号値が小さいほど生成されるＧ補正信号値は大きくなり、逆にＲ信号値が小さいほど若しくはＧ信号値が大きいほど生成されるＧ補正信号値は小さくなる、つまり、Ｒ信号値に比例し、且つ、Ｇ信号値に逆比例し、且つ、さらに係数ＧＫ１にてＲ信号値とＧ信号値との関係から補正信号値と補正範囲が調整される演算結果を、
所望する係数ＧＫ２で除算することにより大きさを調整し、さらに、Ｂ制御信号で値の大きさを制御された、つまり、所望する係数ＧＫ２に逆比例し、且つ、Ｂ制御信号に比例するＧ補正信号を生成するステップ、
当該Ｂ補正信号生成手段が、Ｒ信号値がＢ信号値を所望する係数ＢＫ１倍した値より小さい場合にはＢ補正信号は生成せず、Ｒ信号値がＢ信号値を所望する係数ＢＫ１倍した値より大きい場合にはＢ補正信号を生成し、
そのＢ補正信号は、Ｒ信号値が大きいほど若しくはＢ信号値が小さいほど生成されるＢ補正信号値は大きくなり、逆にＲ信号値が小さいほど若しくはＢ信号値が大きいほど生成されるＢ補正信号値は小さくなる、つまり、Ｒ信号値に比例し、且つ、Ｂ信号値に逆比例し、且つ、さらに係数ＢＫ１にてＲ信号値とＢ信号値との関係から補正信号値と補正範囲が調整される演算結果を、
所望する係数ＢＫ２で除算することにより大きさを調整し、さらに、Ｇ制御信号で値の大きさを制御された、つまり、所望する係数ＢＫ２に逆比例し、且つ、Ｇ制御信号に比例するＢ補正信号を生成するステップ、
当該Ｇ補正手段が、入力されるＧ信号にＧ補正信号を加算する補正を行い、補正後のＧ信号を出力するステップ、
当該Ｂ補正手段が、入力されるＢ信号にＢ補正信号を加算する補正を行い、補正後のＢ信号を出力するステップ、
を実行することを特徴とする画像信号補正手段の画像信号補正方法である。
【０００８】
この発明により、  Ｇ信号を補正する際には、Ｂ信号値とＢ基準信号値とに基づき生成されたＢ制御信号とＲ信号値とＧ信号値とにより生成された補正信号と、に応じて補正量を変えて補正を行う事ができる。
これにより、濃い赤に対してのみ補正を行い、Ｒ信号値に比例する傾向であり且つＧ信号値若しくはＢ信号値に逆比例した傾向であるＧ補正信号を生成し、このＧ補正信号をＧ信号に付加する補正を行い赤色の見え方を変化させる。つまり、濃い赤であるＲ信号値が大きくなるほど、若しくは、Ｇ信号値若しくはＢ信号値が小さくなるほど大きな補正量のＧ補正信号が付加される。逆に、Ｒ信号値が小さくなるほど、若しくは、Ｇ信号値若しくはＢ信号値が大きくなるほど補正量は小さくなり、さらに、Ｂ信号が所望する基準信号値以上であると補正信号は生成されない。
Ｂ信号を補正する際には、Ｇ信号値とＧ基準信号値とに基づき生成されたＧ制御信号とＲ信号値とＢ信号値とにより生成された補正信号と、に応じて補正量を変えて補正を行う事ができる。
これにより、濃い赤に対してのみ補正を行い、Ｒ信号値に比例する傾向であり且つＧ信号値若しくはＢ信号値に逆比例した傾向であるＢ補正信号を生成し、このＢ補正信号をＢ信号に付加する補正を行い赤色の見え方を変化させる。つまり、濃い赤であるＲ信号値が大きくなるほど、若しくは、Ｇ信号値若しくはＢ信号値が小さくなるほど大きな補正量のＢ補正信号が付加される。逆に、Ｒ信号値が小さくなるほど、若しくは、Ｇ信号値若しくはＢ信号値が大きくなるほど補正量は小さくなり、さらに、Ｇ信号が所望する基準信号値以上であると補正信号は生成されない。
従って、濃い赤であるＲ信号＝２５５、Ｇ信号＝０、Ｂ信号＝０が入力された際には、例えば少しだけ白を混ぜた赤であるＲ信号＝２５５、Ｇ信号＝５１、Ｂ信号＝５１や、短波長（オレンジ）寄りの朱色であるＲ信号＝２５５、Ｇ信号＝５１、Ｂ信号＝０や、少しだけ青を混ぜた赤である、Ｒ信号＝２５５、Ｇ信号＝０、Ｂ信号＝５１等に補正することができる。
このため、第１色盲を患う者が判別困難な見えにくい領域で有効に補正される事と、Ｇ信号若しくはＢ信号が所望する基準信号値以上である領域では補正がされないため健常者にとっても違和感が小さくなる事との両立が可能になる画像信号補正方法を実行するものである。
【０００９】
請求項２に記載の発明は、３原色信号であるＲ信号、Ｇ信号、Ｂ信号からなる画像信号を入力するＲ入力端子、Ｇ入力端子、Ｂ入力端子と、
Ｒ信号用の所望するＲ基準信号を生成し出力するＲ基準信号生成手段と、
前記Ｒ入力端子に接続され、入力されるＲ信号とＲ基準信号値とに基づき、Ｒ制御信号を生成し後段へ出力するＲ制御信号生成手段と、
前記Ｇ入力端子とＢ入力端子とＲ制御信号生成手段とに接続され、入力されるＧ信号とＢ信号とＲ制御信号とに基づき、Ｂ信号用のＢ補正信号を生成し後段へ出力するＢ補正信号生成手段と、
前記Ｂ入力端子とＢ補正信号生成手段とに接続され、入力されるＢ補正信号に基づき、Ｂ入力端子から入力されるＢ信号の補正を行い補正後の信号を出力するＢ補正手段と、
前記Ｒ入力端子に接続されたＲ信号を出力するＲ出力端子と、
前記Ｇ入力端子に接続されたＧ信号を出力するＧ出力端子と、
前記Ｂ補正手段に接続されたＢ信号を出力するＢ出力端子と、を備えた画像信号補正手段が行う画像信号補正方法であって、
当該Ｒ制御信号生成手段が、Ｒ信号値がＲ基準信号値より大きい場合にはＲ制御信号は生成せず、Ｒ信号値がＲ基準信号値より小さい場合にはＲ制御信号を生成し、そのＲ制御信号は、Ｒ信号値に逆比例し、且つ、Ｒ信号値とＲ基準信号値との差分値に比例するＲ制御信号を生成するステップ、
当該Ｂ補正信号生成手段が、Ｇ信号値がＢ信号値を所望する係数ＢＫ１倍した値より小さい場合にはＢ補正信号は生成せず、Ｇ信号値がＢ信号値を所望する係数ＢＫ１倍した値より大きい場合にはＢ補正信号を生成し、
そのＢ補正信号は、Ｇ信号値が大きいほど若しくはＢ信号値が小さいほど生成されるＢ補正信号値は大きくなり、逆にＧ信号値が小さいほど若しくはＢ信号値が大きいほど生成される補正信号値は小さくなる、つまり、Ｇ信号値に比例し、且つ、Ｂ信号値に逆比例し、且つ、さらに係数ＢＫ１にてＧ信号値とＢ信号値との関係から補正信号値と補正範囲が調整される演算結果を、
所望する係数ＢＫ２で除算することにより大きさを調整し、さらに、Ｒ制御信号で値の大きさを制御された、つまり、所望する係数ＢＫ２に逆比例し、且つ、Ｒ制御信号に比例するＢ補正信号を生成するステップ、
当該Ｂ補正手段が、入力されるＢ信号にＢ補正信号を加算する補正を行い、補正後のＢ信号を出力するステップ、
を実行することを特徴とする画像信号補正手段の画像信号補正方法である。
【００１０】
この発明により、Ｂ信号を補正する際には、Ｒ信号値とＲ基準信号値とに基づき生成されるＲ制御信号と、Ｇ信号値とＢ信号値とにより生成された補正信号と、に応じて補正量を変えて補正を行う事ができる。
これにより、濃い緑に対してのみ補正を行い、Ｇ信号値に比例する傾向であり且つＲ信号値若しくはＢ信号値に逆比例した傾向であるＢ補正信号を生成し、このＢ補正信号をＢ信号に付加する補正を行い緑色の見え方を変化させる。つまり、濃い緑であるＧ信号値が大きくなるほど、若しくは、Ｒ信号値若しくはＢ信号値が小さくなるほど大きくな補正量のＢ補正信号が付加される。逆に、Ｇ信号値が小さくなるほど、若しくは、Ｒ信号値若しくはＢ信号値が大きくなるほど補正量は小さくなり、さらに、Ｒ信号が所望する基準信号値以上であると補正信号は生成されない。
従って、濃い緑であるＲ信号＝０、Ｇ信号＝２５５、Ｂ信号＝０が入力された際には、例えば少しだけ青を混ぜた緑であるＲ信号＝０、Ｇ信号＝２５５、Ｂ信号＝５１等に補正することができる。
このため、第１色盲を患う者が判別困難な見えにくい領域で有効に補正される事と、Ｒ信号が所望する基準信号値以上である領域では補正がされないため健常者にとっても違和感が小さくなる事との両立が可能になる画像信号補正方法を実行するものである。
【００１１】
請求項３に記載の発明は、３原色信号であるＲ信号、Ｇ信号、Ｂ信号からなる画像信号を入力するＲ入力端子、Ｇ入力端子、Ｂ入力端子と、
Ｇ信号用の所望するＧ基準信号を生成し出力するＧ基準信号生成手段と、
Ｒ信号用の所望するＲ基準信号を生成し出力するＲ基準信号生成手段と、
前記Ｇ入力端子に接続され、入力されるＧ信号とＧ基準信号値とに基づき、Ｇ制御信号を生成し後段へ出力するＧ制御信号生成手段と、
前記Ｒ入力端子に接続され、入力されるＲ信号とＲ基準信号値とに基づき、Ｒ制御信号を生成し後段へ出力するＲ制御信号生成手段と、
前記Ｒ入力端子とＢ入力端子とＧ制御信号生成手段とに接続され、入力されるＲ信号とＢ信号とＧ制御信号とに基づき、Ｒ信号用のＲ補正信号を生成し後段へ出力するＲ補正信号生成手段と、
前記Ｇ入力端子とＢ入力端子とＲ制御信号生成手段とに接続され、入力されるＧ信号とＢ信号とＲ制御信号とに基づき、Ｇ信号用のＧ補正信号を生成し後段へ出力するＧ補正信号生成手段と、
前記Ｒ入力端子とＲ補正信号生成手段とに接続され、入力されるＲ補正信号に基づきＲ入力端子から入力されるＲ信号の補正を行い、補正後の信号を出力するＲ補正手段と、
前記Ｇ入力端子とＧ補正信号生成手段とに接続され、入力されるＧ補正信号に基づきＧ入力端子から入力されるＧ信号の補正を行い、補正後の信号を出力するＧ補正手段と、
前記Ｒ補正手段に接続されたＲ信号を出力するＲ出力端子と、
前記Ｇ補正手段に接続されたＧ信号を出力するＧ出力端子と、
前記Ｂ入力端子に接続されたＢ信号を出力するＢ出力端子と、を備えた画像信号補正手段が行う画像信号補正方法であって、
当該Ｇ制御信号生成手段が、Ｇ信号値がＧ基準信号値より大きい場合にはＧ制御信号は生成せず、Ｇ信号値がＧ基準信号値より小さい場合にはＧ制御信号を生成し、そのＧ制御信号は、Ｇ信号値に逆比例し、且つ、Ｇ信号値とＧ基準信号値との差分値に比例するＧ制御信号を生成するステップ、
当該Ｒ制御信号生成手段が、Ｒ信号値がＲ基準信号値より大きい場合にはＲ制御信号は生成せず、Ｒ信号値がＲ基準信号値より小さい場合にはＲ制御信号を生成し、そのＲ制御信号は、Ｒ信号値に逆比例し、且つ、Ｒ信号値とＲ基準信号値との差分値に比例するＲ制御信号を生成するステップ、
当該Ｒ補正信号生成手段が、Ｂ信号値がＲ信号値を所望する係数ＲＫ１倍した値より小さい場合にはＲ補正信号は生成せず、Ｂ信号値がＲ信号値を所望する係数ＲＫ１倍した値より大きい場合にはＲ補正信号は生成し、
そのＲ補正信号は、Ｂ信号値が大きいほど若しくはＲ信号値が小さいほど生成される補正信号値は大きくなり、逆にＢ信号値が小さいほど若しくはＲ信号値が大きいほど生成される補正信号値は小さくなる、つまり、Ｂ信号値に比例し、且つ、Ｒ信号値に逆比例し、且つ、さらに係数ＲＫ１にてＢ信号値とＲ信号値との関係から補正信号値と補正範囲が調整される演算結果を、
所望する係数ＲＫ２で除算することにより大きさを調整し、さらに、Ｇ制御信号で値の大きさを制御された、つまり、所望する係数ＢＫ２に逆比例し、且つ、Ｇ制御信号に比例するＲ補正信号を生成するステップ、
当該Ｇ補正信号生成手段が、Ｂ信号値がＧ信号値を所望する係数ＧＫ１倍した値より小さい場合にはＧ補正信号は生成せず、Ｂ信号値がＧ信号値を所望する係数ＧＫ１倍した値より大きい場合にはＧ補正信号は生成し、
そのＧ補正信号は、Ｂ信号値が大きいほど若しくはＧ信号値が小さいほど生成される補正信号値は大きくなり、逆にＢ信号値が小さいほど若しくはＧ信号値が大きいほど生成される補正信号値は小さくなる、つまり、Ｂ信号値に比例し、且つ、Ｇ信号値に逆比例し、且つ、さらに係数ＧＫ１にてＢ信号値とＧ信号値との関係から補正信号値と補正範囲が調整される演算結果を、
所望する係数ＧＫ２で除算することにより大きさを調整し、さらに、Ｒ制御信号で値の大きさを制御された、つまり、所望する係数ＧＫ２に逆比例し、且つ、Ｒ制御信号に比例するＧ補正信号を生成するステップ、
当該Ｒ補正手段が、入力されるＲ信号にＲ補正信号を加算する補正を行い、補正後のＲ信号を出力するステップ、
当該Ｇ補正手段が、入力されるＧ信号にＧ補正信号を加算する補正を行い、補正後のＧ信号を出力するステップ、
を実行することを特徴とする画像信号補正手段の画像信号補正方法である。
【００１２】
この発明により、  Ｒ信号を補正する際に、Ｇ信号値とＧ基準信号値とに基づき生成されたＧ制御信号と、Ｒ信号値とＢ信号値とにより生成された補正信号と、に応じて補正量を変えて補正を行う事ができる。
これにより、濃い青に対してのみ補正を行い、Ｂ信号値に比例する傾向であり且つＲ信号値若しくはＧ信号値に逆比例した傾向であるＲ補正信号を生成し、このＲ補正信号をＲ信号に付加する補正を行い青色の見え方を変化させる。つまり、濃い青であるＢ信号値が大きくなるほど、若しくは、Ｒ信号値若しくはＧ信号値が小さくなるほど大きな補正量のＲ補正信号が付加される。逆に、Ｂ信号値が小さくなるほど、若しくは、Ｒ信号値若しくはＧ信号値が大きくなるほど補正量は小さくなり、さらに、Ｇ信号が所望する基準信号値以上であると補正信号は生成されない。
Ｇ信号を補正する際には、Ｒ信号値とＲ基準信号値とに基づき生成されたＲ制御信号と、Ｇ信号値とＢ信号値とにより生成された補正信号と、に応じて補正量を変えて補正を行う事ができる。
これにより、濃い青に対してのみ補正を行い、Ｂ信号値に比例する傾向であり且つＲ信号値若しくはＧ信号値に逆比例した傾向であるＧ補正信号を生成し、このＧ補正信号をＧ信号に付加する補正を行い青色の見え方を変化させる。つまり、濃い青であるＢ信号値が大きくなるほど、若しくは、Ｒ信号値若しくはＧ信号値が小さくなるほど大きな補正量のＧ補正信号が付加される。逆に、Ｂ信号値が小さくなるほど、若しくは、Ｒ信号値若しくはＧ信号値が大きくなるほど補正量は小さくなり、さらに、Ｒ信号が所望する基準信号値以上であると補正信号は生成されない。
従って、濃い青であるＲ信号＝０、Ｇ信号＝０、Ｂ信号＝２５５が入力された際には、例えば少しだけ白を混ぜた青であるＲ信号＝５１、Ｇ信号＝５１、Ｂ信号＝２５５や、少しだけ赤を混ぜた青であるＲ信号＝５１、Ｇ信号＝０、Ｂ信号＝２５５や、少しだけ緑を混ぜた青であるＲ信号＝０、Ｇ信号＝５１、Ｂ信号＝２５５等に補正することができる。
このため、第３色盲を患う者が判別困難な見えにくい領域で有効に補正される事と、Ｒ信号若しくはＧ信号が所望する基準信号値以上である領域では補正がされないため健常者にとっても違和感が小さくなる事との両立が可能になる画像信号補正方法を実行するものである。
【００１３】
請求項４に記載の発明は、３原色信号であるＲ信号、Ｇ信号、Ｂ信号からなる画像信号を入力するＲ入力端子、Ｇ入力端子、Ｂ入力端子と、
前記Ｂ入力端子に接続され、入力されるＢ信号と予め内部に設定されたＢ基準信号値とに基づき、Ｂ制御信号を生成し後段へ出力するＢ制御信号生成手段と、
前記Ｇ入力端子に接続され、入力されるＧ信号と予め内部に設定されたＧ基準信号値とに基づき、Ｇ制御信号を生成し後段へ出力するＧ制御信号生成手段と、
前記Ｒ入力端子とＧ入力端子とＢ制御信号生成手段とに接続され、入力されるＲ信号とＧ信号とＢ制御信号と予め内部に設定されたＧ基準信号値とに基づき、Ｇ信号用のＧ補正信号を生成し後段へ出力するＧ補正信号生成手段と、
前記Ｒ入力端子とＢ入力端子とＧ制御信号生成手段とに接続され、入力されるＲ信号とＢ信号とＧ制御信号と予め内部に設定されたＢ基準信号値とに基づき、Ｂ信号用のＢ補正信号を生成し後段へ出力するＢ補正信号生成手段と、
前記Ｇ入力端子とＧ補正信号生成手段とに接続され、入力されるＧ補正信号に基づき、Ｇ入力端子から入力されるＧ信号の補正を行い補正後の信号を出力するＧ補正手段と、
前記Ｂ入力端子とＢ補正信号生成手段とに接続され、入力されるＢ補正信号に基づき、Ｂ入力端子から入力されるＢ信号の補正を行い補正後の信号を出力するＢ補正手段と、
前記Ｒ入力端子に接続されたＲ信号を出力するＲ出力端子と、
前記Ｇ補正手段に接続されたＧ信号を出力するＧ出力端子と、
前記Ｂ補正手段に接続されたＢ信号を出力するＢ出力端子と、を備えた画像信号補正手段が行う画像信号補正方法であって、
当該Ｂ制御信号生成手段が、Ｂ信号値がＢ基準信号値より大きい場合にはＢ制御信号は生成せず、Ｂ信号値がＢ基準信号値より小さい場合にはＢ制御信号を生成し、そのＢ制御信号は、Ｂ信号値に逆比例し、且つ、Ｂ信号値とＢ基準信号値との差分値に比例するＢ制御信号を生成するステップ、
当該Ｇ制御信号生成手段が、Ｇ信号値がＧ基準信号値より大きい場合にはＧ制御信号は生成せず、Ｇ信号値がＧ基準信号値より小さい場合にはＧ制御信号を生成し、そのＧ制御信号は、Ｇ信号値に逆比例し、且つ、Ｇ信号値とＧ基準信号値との差分値に比例するＧ制御信号を生成するステップ、
当該Ｇ補正信号生成手段が、Ｒ信号とＧ信号と予め内部に設定されたＧ基準信号値とＢ制御信号とに基づき、Ｇ信号がＧ基準信号値より大きい場合には補正信号は生成せず、Ｇ信号がＧ基準信号より小さい場合にはＧ補正信号を生成し、
そのＧ補正信号は、Ｒ信号値に比例し、且つ、Ｇ信号値に逆比例し、且つ、Ｇ信号値とＧ基準信号値との差分値に比例し、且つ、Ｂ制御信号に比例し、且つ、所望する係数にて演算を行い値の大きさを調整されて生成されるステップ
当該Ｂ補正信号生成手段が、Ｒ信号とＢ信号と予め内部に設定されたＢ基準信号値とＧ制御信号とに基づき、Ｂ信号がＢ基準信号値より大きい場合には補正信号は生成せず、Ｂ信号がＢ基準信号より小さい場合にはＢ補正信号を生成し、
そのＢ補正信号は、Ｒ信号値に比例し、且つ、Ｂ信号値に逆比例し、且つ、Ｂ信号値とＢ基準信号値との差分値に比例し、且つ、Ｇ制御信号に比例し、且つ、所望する係数にて演算を行い値の大きさを調整されて生成されるステップ
当該Ｇ補正手段が、入力されるＧ信号にＧ補正信号を加算する補正を行い、補正後のＧ信号を出力するステップ、
当該Ｂ補正手段が、入力されるＢ信号にＢ補正信号を加算する補正を行い、補正後のＢ信号を出力するステップ、
を実行することを特徴とする画像信号補正手段の画像信号補正方法である。
【００１４】
この発明により、Ｇ信号を補正する際には、Ｒ信号値に比例し、Ｇ信号値に逆比例しＧ信号値とＧ基準信号値との差分値に比例し、Ｂ制御信号に比例したつまりＢ信号値に逆比例しＢ信号値とＢ基準信号値との差分値に比例したＧ補正信号を生成することにより、Ｒ信号、Ｇ信号、Ｂ信号のそれぞれの値に応じて補正量を変えて補正を行う事や、
Ｂ信号を補正する際には、Ｒ信号値に比例し、Ｂ信号値に逆比例しＢ信号値とＢ基準信号値との差分値に比例し、Ｇ制御信号に比例したつまりＧ信号値に逆比例しＧ信号値とＧ基準信号値との差分値に比例したＢ補正信号を生成することにより、Ｒ信号、Ｇ信号、Ｂ信号のそれぞれの値に応じて補正量を変えて補正を行うことができる。
これにより、濃い赤に対してのみ補正を行い、Ｒ信号値に比例する傾向であり且つＧ信号値やＢ信号値に逆比例した傾向であるＧ補正信号若しくはＢ補正信号を生成し、このＧ補正信号をＧ信号に付加する補正を行い若しくはＢ補正信号をＢ信号に付加する補正を行い赤色の見え方を変化させる。
つまり、濃い赤であるＲ信号値が大きくなるほど、若しくは、Ｇ信号値若しくはＢ信号値が小さくなるほど大きな補正量のＧ補正信号若しくはＢ補正信号が付加される。逆に、Ｒ信号値が小さくなるほど、若しくは、Ｇ信号値若しくはＢ信号値が大きくなるほど補正量は小さくなり、さらに、Ｇ信号若しくはＢ信号が所望する基準信号値以上であると補正信号は生成されない。
従って、濃い赤であるＲ信号＝２５５、Ｇ信号＝０、Ｂ信号＝０が入力された際には、例えば少しだけ白を混ぜた赤であるＲ信号＝２５５、Ｇ信号＝５１、Ｂ信号＝５１や、短波長（オレンジ）寄りの朱色であるＲ信号＝２５５、Ｇ信号＝５１、Ｂ信号＝０や、少しだけ青を混ぜた赤であるＲ信号＝２５５、Ｇ信号＝０、Ｂ信号＝５１等に補正することができる。
このため、第１色盲を患う者が判別困難な見えにくい領域で有効に補正される事と、Ｇ信号若しくはＢ信号が所望する基準信号値以上である領域では補正がされないため健常者にとっても違和感が小さくなる事との両立が可能になる画像信号補正方法を実行するものである。
【００１５】
請求項５に記載の発明は、３原色信号であるＲ信号、Ｇ信号、Ｂ信号からなる画像信号を入力するＲ入力端子、Ｇ入力端子、Ｂ入力端子と、
前記Ｒ入力端子に接続され、入力されるＲ信号と予め内部に設定されたＲ基準信号値とに基づき、Ｒ制御信号を生成し後段へ出力するＲ制御信号生成手段と、
前記Ｇ入力端子とＢ入力端子とＲ制御信号生成手段とに接続され、入力されるＧ信号とＢ信号とＲ制御信号と予め内部に設定されたＢ基準信号値とに基づき、Ｂ信号用のＢ補正信号を生成し後段へ出力するＢ補正信号生成手段と、
前記Ｂ入力端子とＢ補正信号生成手段とに接続され、入力されるＢ補正信号に基づき、Ｂ入力端子から入力されるＢ信号の補正を行い補正後の信号を出力するＢ補正手段と、
前記Ｒ入力端子に接続されたＲ信号を出力するＲ出力端子と、
前記Ｇ入力端子に接続されたＧ信号を出力するＧ出力端子と、
前記Ｂ補正手段に接続されたＢ信号を出力するＢ出力端子と、を備えた画像信号補正手段が行う画像信号補正方法であって、
当該Ｒ制御信号生成手段が、Ｒ信号値がＲ基準信号値より大きい場合にはＲ制御信号は生成せず、Ｒ信号値がＲ基準信号値より小さい場合にはＲ制御信号を生成し、そのＲ制御信号は、Ｒ信号値に逆比例し且つＲ信号値とＲ基準信号値との差分値に比例するＲ制御信号を生成するステップ、
当該Ｂ補正信号生成手段が、Ｇ信号とＢ信号と予め内部に設定されたＢ基準信号値とＲ制御信号とに基づき、Ｂ信号がＢ基準信号値より大きい場合には補正信号は生成せず、Ｂ信号がＢ基準信号より小さい場合にはＢ補正信号を生成し、
そのＢ補正信号は、Ｇ信号値に比例し、且つ、Ｂ信号値に逆比例し、且つ、Ｂ信号値とＢ基準信号値との差分値に比例し、且つ、Ｒ制御信号に比例し、且つ、所望する係数にて演算を行い値の大きさを調整されて生成されるステップ
当該Ｂ補正手段が、入力されるＢ信号にＢ補正信号を加算する補正を行い、補正後のＢ信号を出力するステップ、
を実行することを特徴とする画像信号補正手段の画像信号補正方法である。
【００１６】
この発明により、Ｂ信号を補正する際に、Ｇ信号値に比例し、Ｂ信号値に逆比例しＢ信号値とＢ基準信号値との差分値に比例し、Ｒ制御信号に比例したつまりＲ信号値に逆比例しＲ信号値とＲ基準信号値との差分値に比例したＢ補正信号を生成することにより、Ｒ信号、Ｇ信号、Ｂ信号のそれぞれの値に応じて補正量を変えて補正を行うことができる。
これにより、濃い緑に対してのみ補正を行い、Ｇ信号値に比例する傾向であり且つＲ信号値やＢ信号値に逆比例した傾向のＢ補正信号を生成し、このＢ補正信号をＢ信号に付加する補正を行い緑色の見え方を変化させる。
つまり、濃い緑であるＧ信号値が大きくなるほど、若しくは、Ｒ信号値若しくはＢ信号値が小さくなるほど大きくな補正量のＢ補正信号が付加される。逆に、Ｇ信号値が小さくなるほど、若しくは、Ｒ信号値若しくはＢ信号値が大きくなるほど補正量は小さくなり、さらに、Ｒ信号若しくはＢ信号が所望する基準信号値以上であると補正信号は生成されない。
従って、濃い緑であるＲ信号＝０、Ｇ信号＝２５５、Ｂ信号＝０が入力された際には、例えば少しだけ青を混ぜた緑であるＲ信号＝０、Ｇ信号＝２５５、Ｂ信号＝５１等に補正することができる。
このため、第１色盲を患う者が判別困難な見えにくい領域で有効に補正される事と、Ｒ信号若しくはＢ信号が所望する基準信号値以上である領域では補正がされないため健常者にとっても違和感が小さくなる事との両立が可能になる画像信号補正方法を実行するものである。
【００１７】
請求項６に記載の発明は、３原色信号であるＲ信号、Ｇ信号、Ｂ信号からなる画像信号を入力するＲ入力端子、Ｇ入力端子、Ｂ入力端子と、
前記Ｇ入力端子に接続され、入力されるＧ信号と予め内部に設定されたＧ基準信号値とに基づき、Ｇ制御信号を生成し後段へ出力するＧ制御信号生成手段と、
前記Ｒ入力端子に接続され、入力されるＲ信号と予め内部に設定されたＲ基準信号値とに基づき、Ｒ制御信号を生成し後段へ出力するＲ制御信号生成手段と、
前記Ｒ入力端子とＢ入力端子とＧ制御信号生成手段とに接続され、入力されるＢ信号とＲ信号とＧ制御信号と予め内部に設定されたＲ基準信号値とに基づき、Ｒ信号用のＲ補正信号を生成し後段へ出力するＲ補正信号生成手段と、
前記Ｇ入力端子とＢ入力端子とＲ制御信号生成手段とに接続され、入力されるＢ信号とＧ信号とＲ制御信号と予め内部に設定されたＧ基準信号値とに基づき、Ｇ信号用のＧ補正信号を生成し後段へ出力するＧ補正信号生成手段と、
前記Ｒ入力端子とＲ補正信号生成手段とに接続され、入力されるＲ補正信号に基づきＲ入力端子から入力されるＲ信号の補正を行い、補正後の信号を出力するＲ補正手段と、
前記Ｇ入力端子とＧ補正信号生成手段とに接続され、入力されるＧ補正信号に基づきＧ入力端子から入力されるＧ信号の補正を行い、補正後の信号を出力するＧ補正手段と、
前記Ｒ補正手段に接続されたＲ信号を出力するＲ出力端子と、
前記Ｇ補正手段に接続されたＧ信号を出力するＧ出力端子と、
前記Ｂ入力端子に接続されたＢ信号を出力するＢ出力端子と、を備えた画像信号補正手段が行う画像信号補正方法であって、
当該Ｇ制御信号生成手段が、Ｇ信号値がＧ基準信号値より大きい場合にはＧ制御信号は生成せず、Ｇ信号値がＧ基準信号値より小さい場合にはＧ制御信号を生成し、そのＧ制御信号は、Ｇ信号値に逆比例し、且つ、Ｇ信号値とＧ基準信号値との差分値に比例するＧ制御信号を生成するステップ、
当該Ｒ制御信号生成手段が、Ｒ信号値がＲ基準信号値より大きい場合にはＲ制御信号は生成せず、Ｒ信号値がＲ基準信号値より小さい場合にはＲ制御信号を生成し、そのＲ制御信号は、Ｒ信号値に逆比例し、且つ、Ｒ信号値とＲ基準信号値との差分値に比例するＲ制御信号を生成するステップ、
当該Ｒ補正信号生成手段が、Ｂ信号とＲ信号と予め内部に設定されたＲ基準信号値とＧ制御信号とに基づき、Ｒ信号がＲ基準信号値より大きい場合には補正信号は生成せず、Ｒ信号がＲ基準信号より小さい場合にはＲ補正信号を生成し、
そのＲ補正信号は、Ｂ信号値に比例し、且つ、Ｇ信号値に逆比例し、且つ、Ｇ信号値とＧ基準信号値との差分値に比例し、且つ、Ｇ制御信号に比例し、且つ、所望する係数にて演算を行い値の大きさを調整されて生成されるステップ
当該Ｇ補正信号生成手段が、Ｂ信号とＧ信号と予め内部に設定されたＧ基準信号値とＲ制御信号とに基づき、Ｇ信号がＧ基準信号値より大きい場合には補正信号は生成せず、Ｇ信号がＧ基準信号より小さい場合にはＧ補正信号を生成し、
そのＧ補正信号は、Ｂ信号値に比例し、且つ、Ｇ信号値に逆比例し、且つ、Ｇ信号値とＧ基準信号値との差分値に比例し、且つ、Ｒ制御信号に比例し、且つ、所望する係数にて演算を行い値の大きさを調整されて生成されるステップ
当該Ｒ補正手段が、入力されるＲ信号にＲ補正信号を加算する補正を行い、補正後のＲ信号を出力するステップ、
当該Ｇ補正手段が、入力されるＧ信号にＧ補正信号を加算する補正を行い、補正後のＧ信号を出力するステップ、
を実行することを特徴とする画像信号補正手段の画像信号補正方法である。
【００１８】
この発明により、Ｒ信号を補正する際には、Ｂ信号値に比例し、Ｒ信号値に逆比例しＲ信号値とＲ基準信号値との差分値に比例し、Ｇ制御信号に比例したつまりＧ信号値に逆比例しＧ信号値とＧ基準信号値との差分値に比例したＲ補正信号を生成することにより、Ｒ信号、Ｇ信号、Ｂ信号のそれぞれの値に応じて補正量を変えて補正を行う事や、
Ｇ信号を補正する際には、Ｂ信号値に比例し、Ｇ信号値に逆比例しＧ信号値とＧ基準信号値との差分値に比例し、Ｒ制御信号に比例したつまりＲ信号値に逆比例しＲ信号値とＲ基準信号値との差分値に比例したＧ補正信号を生成することにより、Ｒ信号、Ｇ信号、Ｂ信号のそれぞれの値に応じて補正量を変えて補正を行う事ができる。
これにより、濃い青に対してのみ補正を行い、Ｂ信号値に比例する傾向であり且つＲ信号値若しくはＧ信号値に逆比例した傾向であるＲ補正信号若しくはＧ補正信号を生成し、このＲ補正信号をＲ信号に付加する補正を行い若しくはＧ補正信号をＧ信号に付加する補正を行い青色の見え方を変化させる。
つまり、濃い青であるＢ信号値が大きくなるほど、若しくは、Ｒ信号値若しくはＧ信号値が小さくなるほど大きな補正量のＲ補正信号若しくはＧ補正信号が付加される。逆に、Ｂ信号値が小さくなるほど、若しくは、Ｒ信号値若しくはＧ信号値が大きくなるほど補正量は小さくなり、さらに、Ｒ信号若しくはＧ信号が所望する基準信号値以上であると補正信号は生成されない。
従って、濃い青であるＲ信号＝０、Ｇ信号＝０、Ｂ信号＝２５５が入力された際には、例えば少しだけ白を混ぜた青であるＲ信号＝５１、Ｇ信号＝５１、Ｂ信号＝２５５や、少しだけ赤を混ぜた青であるＲ信号＝５１、Ｇ信号＝０、Ｂ信号＝２５５や、少しだけ緑を混ぜた青であるＲ信号＝０、Ｇ信号＝５１、Ｂ信号＝２５５等に補正することができる。
このため、第３色盲を患う者が判別困難な見えにくい領域で有効に補正される事と、Ｒ信号若しくはＧ信号が所望する基準信号値以上である領域では補正がされないため健常者にとっても違和感が小さくなる事との両立が可能になる画像信号補正方法を実行するものである。
【発明の効果】
【００１９】
本発明は、画像信号の３原色信号であるＲ信号、Ｇ信号、Ｂ信号の内の所望する色信号を補正する際に、所望する色信号値と所望する色信号以外の色信号値とに応じた補正信号を生成し、さらにその二色以外の色信号値と所望する基準信号値とから生成された制御信号により、前記補正信号の大小を制御し、入力の画像信号に補正を行い出力する画像信号補正手段の動作方法であるため、
濃い赤に対してのみ補正を行い、Ｒ信号値に比例する傾向であり且つＧ信号値若しくはＢ信号値に逆比例した傾向であるＧ補正信号若しくはＢ補正信号を生成し、このＧ補正信号をＧ信号に付加する補正を行い若しくはＢ補正信号をＢ信号に付加する補正を行い赤色の見え方を変化させることができる。
従って、濃い赤であるＲ信号＝２５５、Ｇ信号＝０、Ｂ信号＝０が入力された際には、例えば少しだけ白を混ぜた赤であるＲ信号＝２５５、Ｇ信号＝５１、Ｂ信号＝５１や、短波長（オレンジ）寄りの朱色であるＲ信号＝２５５、Ｇ信号＝５１、Ｂ信号＝０や、少しだけ青を混ぜた赤であるＲ信号＝２５５、Ｇ信号＝０、Ｂ信号＝５１等に補正することができる。
このため、第１色盲を患う者が判別困難な見えにくい領域で有効に補正される事と、Ｇ信号若しくはＢ信号が所望する基準信号値以上である領域では補正がされないため健常者にとっても違和感が小さくなる事との両立が可能になる画像信号補正方法を実行できる。
さらに、濃い緑に対してのみ補正を行い、Ｇ信号値に比例する傾向であり且つＲ信号値若しくはＢ信号値に逆比例した傾向のＢ補正信号を生成し、このＢ補正信号をＢ信号に付加する補正を行い緑色の見え方を変化させることができる。
従って、濃い緑であるＲ信号＝０、Ｇ信号＝２５５、Ｂ信号＝０が入力された際には、例えば少しだけ青を混ぜた緑であるＲ信号＝０、Ｇ信号＝２５５、Ｂ信号＝５１等に補正することができる。
このため、第１色盲を患う者が判別困難な見えにくい領域で有効に補正される事と、Ｒ信号若しくはＢ信号が所望する基準信号値以上である領域では補正がされないため健常者にとっても違和感が小さくなる事との両立が可能になる画像信号補正方法を実行できる。
さらに、濃い青に対してのみ補正を行い、Ｂ信号値に比例する傾向であり且つＲ信号値若しくはＧ信号値に逆比例した傾向であるＲ補正信号若しくはＧ補正信号を生成し、このＲ補正信号をＲ信号に付加する補正を行い若しくはＧ補正信号をＧ信号に付加する補正を行い青色の見え方を変化させることができる。
従って、濃い青であるＲ信号＝０、Ｇ信号＝０、Ｂ信号＝２５５が入力された際には、例えば少しだけ白を混ぜた青であるＲ信号＝５１、Ｇ信号＝５１、Ｂ信号＝２５５や、少しだけ赤を混ぜた青であるＲ信号＝５１、Ｇ信号＝０、Ｂ信号＝２５５や、少しだけ緑を混ぜた青であるＲ信号＝０、Ｇ信号＝５１、Ｂ信号＝２５５等に補正することができる。
このため、第３色盲を患う者が判別困難な見えにくい領域で有効に補正される事と、Ｒ信号若しくはＧ信号が所望する基準信号値以上である領域では補正がされないため健常者にとっても違和感が小さくなる事との両立が可能になる画像信号補正方法を実行できる。
【図面の簡単な説明】
【００２０】
【図１】本発明に係る実施の形態例の画像信号補正手段１０の構成を説明するブロック図である。（実施例１）
【図２】本発明に係る実施の形態例の画像信号補正手段１０Ａの構成を説明するブロック図である。（実施例２）
【図３】本発明に係る実施の形態例の画像信号補正手段１０Ｂの構成を説明するブロック図である。（実施例３）
【図４】本発明に係る実施例１の補正前の入力信号に対する補正後の出力信号の関係を表す代表値の例の図である。
【図５】本発明に係る実施例２の補正前の入力信号に対する補正後の出力信号の関係を表す代表値の例の図である。
【図６】本発明に係る実施例３の補正前の入力信号に対する補正後の出力信号の関係を表す代表値の例の図である。
【発明を実施するための形態】
【００２１】
画像信号の３原色信号であるＲ信号、Ｇ信号、Ｂ信号の内の所望する色信号を補正する際に、所望する色信号値と所望する色信号以外の色信号値とに応じた補正信号を生成し、さらにその二色以外の色信号値と所望する基準信号値とから生成された制御信号により、前記補正信号の大小を制御し、入力の画像信号に補正を行い出力することで実現した。
【実施例】
【００２２】
以下に、本発明の実施の形態例を詳細に説明する。しかし、この実施の形態例によって、この発明が限定されるものではない。
先ず図１を参照して、画像信号補正手段１０を例に説明を行う。
画像信号補正手段１０は、
画像信号の赤色成分であるＲ信号が入力される入力端子２０と、
画像信号の緑色成分であるＧ信号が入力される入力端子２１と、
画像信号の青色成分であるＢ信号が入力される入力端子２２と、
所望する基準信号を生成するＢ基準信号生成手段３２と、
所望する基準信号を生成するＧ基準信号生成手段３１と、
入力端子２２とＢ基準信号生成手段３２と後段のＧ補正信号生成手段５１とに接続されたＢ制御信号生成手段４２と、
入力端子２１とＧ基準信号生成手段３１と後段のＢ補正信号生成手段５２とに接続されたＧ制御信号生成手段４１と、
入力端子２０と入力端子２１とＢ制御信号生成手段４２と後段のＧ補正手段６１とに接続されたＧ補正信号生成手段５１と、
入力端子２０と入力端子２２とＧ制御信号生成手段４１と後段のＢ補正手段６２とに接続されたＢ補正信号生成手段５２と、
入力端子２１とＧ補正信号生成手段５１と後段の出力端子７１とに接続されたＧ補正手段６１と、
入力端子２２とＢ補正信号生成手段５２と後段の出力端子７２とに接続されたＢ補正手段６２と、
入力端子２０に接続された出力端子７０と、
Ｇ補正手段６１に接続された出力端子７１と、
Ｂ補正手段６２に接続された出力端子７２と、が備えられている。
尚、Ｂ制御信号生成手段４２に必要なＢ基準信号は、Ｂ制御信号生成手段４２に予め値を設定することも可能である。その場合Ｂ基準信号生成手段３２は不要である。同様にＧ制御信号生成手段４１に必要なＧ基準信号は、Ｇ制御信号生成手段４１に予め値を設定することも可能である。その場合Ｇ基準信号生成手段３１は不要である。
又、それぞれの基準信号値は、第１色盲を患う者が判別困難な見えにくい領域で有効に補正される事と、Ｇ信号やＢ信号が所望する基準信号値以上である領域では補正がされないため健常者にとっても違和感が小さくなる事と、を両立させるため、例えば、最大値の半分より小さい所定の値、望ましくは、最大値の２５％〜４９％程度、更に望ましくは、最大値の４０％（信号値１０２）程度に定めるとよい。但し、効果を妨げない程度に、種々の変更が可能である。補正の範囲を広げたい場合は、５０％超としてもよい。但し健常者との両立を考えると、１００％近くとすることは、あまり望ましくない。また、比較的、健常者に近い状態の色覚異常者の場合などでは、この基準値を小さくして、補正の領域を狭めるようにしても良い。
本実施例として、Ｂ基準信号生成手段３２とＧ基準信号生成手段３１とは、１０２（４０％）の基準信号を生成する例とする。
【００２３】
上記のように構成された画像信号補正手段１０は、濃い赤であるＲ信号値が大きくなるほど、若しくは、Ｇ信号値若しくはＢ信号値が小さくなるほど、大きな補正量のＧ補正信号若しくはＢ補正信号が付加される。逆に、Ｒ信号値が小さくなるほど、若しくは、Ｇ信号値若しくはＢ信号値が大きくなるほど、補正量は小さくなり、さらに、Ｇ信号若しくはＢ信号が所望する基準信号値以上であると補正信号は生成されない。
この画像信号補正手段１０に、濃い赤であるＲ信号＝２５５、Ｇ信号＝０、Ｂ信号＝０が入力された際に、Ｒ信号＝２５５、Ｇ信号＝５１、Ｂ信号＝５１に補正する場合を、図１を参照して説明を行う。
【００２４】
画像信号補正手段１０の入力端子２０、２１、２２には、それぞれＲ信号＝２５５、Ｇ信号＝０、Ｂ信号＝０が入力される。
入力端子２０には、画像信号の赤色成分であるＲ信号が入力され、
入力端子２１には、画像信号の緑色成分であるＧ信号が入力され、
入力端子２２には、画像信号の青色成分であるＢ信号が入力される。
従って、Ｒ信号は、Ｇ補正信号生成手段５１とＢ補正信号生成手段５２とに入力されと共に出力端子７０にて出力され、
Ｇ信号は、Ｇ制御信号生成手段４１とＧ補正信号生成手段５１とＧ補正手段６１とに入力され、
Ｂ信号は、Ｂ制御信号生成手段４２とＢ補正信号生成手段５２とＢ補正手段６２とに入力される。
【００２５】
Ｂ制御信号生成手段４２は、入力されるＢ信号とＢ基準信号とに基づき、Ｂ信号値がＢ基準信号値より大きい場合にはＢ制御信号は生成せず、Ｂ信号値がＢ基準信号値より小さい場合にはＢ基準信号値からＢ信号値を引いた結果の差分値の大きさに連動した、つまり、差分値が小さければＢ制御信号は小さく、差分値が大きければＢ制御信号は大きくなる傾向の演算を行いＢ制御信号を生成して、後段のＧ補正信号生成手段５１に出力する。従ってＢ制御信号は、Ｂ信号値に逆比例しＢ信号値とＢ基準信号値との差分値に比例する特徴を有し、後段のＧ補正信号生成手段５１の補正量の大小を制御する。
Ｂ制御信号生成手段４２が制御信号を生成する演算の一例として、
入力されるＢ信号をＢ、ただしＢは０〜２５５、
Ｂ基準信号生成手段３２で生成されるＢ基準信号をＢＳ、ただしＢＳは０〜２５５とするとき
（ＢＳ−Ｂ）が負の値の場合では、生成されるＢ制御信号は０、
（ＢＳ−Ｂ）が正の値の場合では、Ｂ制御信号＝（ＢＳ−Ｂ）÷ＢＳ、
である制御信号を生成する。従って、Ｂ制御信号は０〜１となる。
本実施例では上記の式によって、Ｂ制御信号が０〜１の範囲になるように定めているが、種々の変更が可能である。尚、Ｂ制御信号は、補正量を定めるための、補正量に比例する信号であり、０であれば補正量＝０であり、数値が大きくなるほどＢ補正信号値が大きくなり、１であれば補正量が最大となる。
【００２６】
この例のＢ信号とＢ基準信号とに基づき生成されたＢ制御信号の代表値を次の表１に示す。
【表１】
2010021986.tif 000003
この表１に示す様に制御信号は、入力信号が基準信号未満になったときに補正信号の大小を制御するための制御信号が生成され、入力信号が基準値未満で且つ小さな値ほど大きな制御信号が生成され、入力信号が基準値未満で且つ大きな値ほど小さな制御信号が生成される。
【００２７】
尚、Ｂ制御信号生成手段４２が、ルックアップテーブル方式であるデジタル化された階調のデータを任意の階調に補正するために入力と出力の対照表を利用した方式とした場合にはその対照表の情報を、入力されるＢ信号と予め定めたＢ基準信号とに基づき、Ｂ信号値がＢ基準信号値より大きい場合にはＢ制御信号は生成せず、Ｂ信号値がＢ基準信号値より小さい場合にはＢ基準信号値からＢ信号値を引いた差分値が小さいほど生成されるＢ制御信号は小さく、前記差分値が大きいほど生成されるＢ制御信号は大きいことを特徴とする所望する演算結果と、同様な情報とすることが可能である。
従って、Ｂ制御信号生成手段４２が、ルックアップテーブル方式若しくはそれに準ずる方式である場合には、Ｂ基準信号生成手段３２は無くても良いし、ルックアップテーブル手段に内蔵させても良く、上記と同様なＢ制御信号が得られる。
【００２８】
Ｇ補正信号生成手段５１は、Ｒ信号値とＧ信号値とＢ制御信号値とに応じて一意に値が決定される、つまり、Ｒ信号値とＧ信号値との大小に関連して補正信号の値の大小が決定される補正信号を生成し、さらにＢ制御信号により補正信号の大小を制御し、Ｇ補正手段６１に出力する。尚、Ｇ補正信号生成手段５１は、Ｒ信号値に比例し、Ｇ信号値に逆比例し、Ｂ制御信号に比例する傾向であるＧ補正信号を生成する。
Ｇ補正信号生成手段５１が補正信号を生成する演算の一例として、
ＧＫ１は所望する係数であり一例として２．５、
ＧＫ２は所望する係数であり一例として５、
入力されるＲ信号をＲ、ただしＲは０〜２５５、
入力されるＧ信号をＧ、ただしＧは０〜２５５とするとき、
（Ｒ−（Ｇ×ＧＫ１））が負の値の場合では、生成されるＧ補正信号は０、
（Ｒ−（Ｇ×ＧＫ１））が正の値の場合では、
Ｇ補正信号＝（（Ｒ−（Ｇ×ＧＫ１））÷ＧＫ２）×Ｂ制御信号、
であるＧ補正信号を生成する。
尚、ＧＫ１とＧＫ２とは、補正信号を生成する際の所望する係数であり変更も可能で、値を小さくすると生成される補正信号は大きくなり、値を大きくすると生成される補正信号は小さくなる。この係数を適宜設定することにより、補正量や補正範囲の調整が可能であり、色覚異常者が判別困難な見えにくい領域で有効に補正され、Ｂ信号が所望する基準信号値以上である領域では補正がされず健常者にとっても違和感が小さいことの両立が可能になる範囲を適宜設定できる。
【００２９】
Ｇ補正信号生成手段５１は、入力されるＲ信号とＧ信号とに基づき、Ｒ信号値がＧ信号値を所望する係数ＧＫ１倍した値より小さい場合にはＧ補正信号は生成せず、Ｒ信号値がＧ信号値を所望する係数ＧＫ１倍した値より大きい場合にはＧ補正信号を生成し、
そのＧ補正信号は、Ｒ信号値が大きいほど若しくはＧ信号値が小さいほど生成されるＧ補正信号値は大きくなり、逆にＲ信号値が小さいほど若しくはＧ信号値が大きいほど生成されるＧ補正信号値は小さくなる、つまり、Ｒ信号値に比例し、Ｇ信号値に逆比例し、さらに係数ＧＫ１にてＲ信号値とＧ信号値との関係から補正信号値と補正範囲が調整される演算結果を、所望する係数ＧＫ２で除算することにより大きさを調整し、さらに、Ｂ制御信号で値の大きさを制御された、つまり、所望する係数ＧＫ２に逆比例しＢ制御信号に比例するＧ補正信号を生成し、Ｇ補正手段６１に出力する。
従ってＧ補正信号は、Ｒ信号値に比例し、Ｇ信号値に逆比例し、さらに係数ＧＫ１にてＲ信号値とＧ信号値との関係から補正信号値と補正範囲が適宜設定され、さらに、所望する係数ＧＫ２に逆比例し、Ｂ制御信号に比例する傾向を有する、つまり、係数とＲ信号とＧ信号との関係から補正範囲が適宜設定され、Ｒ信号値に比例し、Ｇ信号値に逆比例し、Ｂ制御信号に比例し、係数にて値を調整される傾向を有することを特徴とする。
【００３０】
この例のＲ信号とＧ信号とＢ制御信号とに基づき生成されたＧ補正信号の代表値を次の表２に示す。
【表２】
2010021986.tif 000004
この表２に示す様にＧ補正信号は、Ｂ信号値がＢ基準信号値未満であるときに、Ｒ信号値に比例し、且つ、Ｇ信号値に逆比例したＧ補正信号が生成される。
【００３１】
尚、Ｇ補正信号生成手段５１が、ルックアップテーブル方式であるデジタル化された階調のデータを任意の階調に補正するために入力と出力の対照表を利用した方式とした場合にはその対照表の情報を、入力されるＲ信号とＧ信号とに基づき、Ｒ信号値がＧ信号値を所望する係数ＧＫ１倍した値より小さい場合には補正信号は生成せず、Ｒ信号値がＧ信号値を所望する係数ＧＫ１倍した値より大きい場合には、Ｇ信号値が小さいほど若しくはＲ信号値が大きいほど生成される補正信号値は大きくなり、逆にＧ信号値が大きいほど若しくはＲ信号値が小さいほど生成される補正信号値は小さくなることを特徴とする所望する演算を行い、その演算結果を補正信号値の大小を設定する所望する係数ＧＫ２にて除算を行い、さらにその演算結果をＢ制御信号にて値の大小を制御されたことを特徴とする所望する演算結果と、同様な情報とすることが可能である。
従って、Ｇ補正信号生成手段５１が、ルックアップテーブル方式若しくはそれに準ずる方式であっても、Ｒ信号値に比例する傾向であり、Ｇ信号値に逆比例した傾向であり、Ｂ制御信号にて値の大小を制御されたＧ補正信号を生成できる。
【００３２】
Ｇ制御信号生成手段４１は、入力されるＧ信号とＧ基準信号とに基づき、Ｇ信号値がＧ基準信号値より大きい場合にはＧ制御信号は生成せず、Ｇ信号値がＧ基準信号値より小さい場合にはＧ基準信号値からＧ信号値を引いた結果の差分値の大きさに連動した、つまり、差分値が小さければＧ制御信号は小さく、差分値が大きければＧ制御信号は大きくなる傾向の演算を行いＧ制御信号を生成して、後段のＢ補正信号生成手段５２に出力する。従ってＧ制御信号は、Ｇ信号値に逆比例しＧ信号値とＧ基準信号値との差分値に比例する特徴を有し、後段のＢ補正信号生成手段５２の補正量の大小を制御する。
Ｇ制御信号生成手段４１が制御信号を生成する演算の一例として、
入力されるＧ信号をＧ、ただしＧは０〜２５５、
Ｇ基準信号生成手段３１で生成されるＧ基準信号をＧＳ、ただしＧＳは０〜２５５とするとき、
（ＧＳ−Ｇ）が負の値の場合では、生成されるＧ制御信号は０、
（ＧＳ−Ｇ）が正の値の場合では、Ｇ制御信号＝（ＧＳ−Ｇ）÷ＧＳ、
であるＧ制御信号を生成する。従って、Ｇ制御信号は０〜１となる。
本実施例では上記の式によって、Ｇ制御信号が０〜１の範囲になるように定めているが、種々の変更が可能である。尚、Ｇ制御信号は、補正量を定めるための、補正量に比例する信号であり、０であれば補正量＝０であり、数値が大きくなるほどＧ補正信号値が大きくなり、１であれば補正量が最大となる。
【００３３】
この例のＧ信号とＧ基準信号とに基づき生成されたＧ制御信号の代表値は表１と同様である。
【００３４】
尚、Ｇ制御信号生成手段４１が、ルックアップテーブル方式若しくはそれに準ずる方式である場合は、Ｇ基準信号生成手段３１は無くても良いし、ルックアップテーブル手段に内蔵させても良く、上記と同様なＧ制御信号が得られる。
【００３５】
Ｂ補正信号生成手段５２は、Ｒ信号値とＢ信号値とＧ制御信号値とに応じて一意に値が決定される、つまり、Ｒ信号値とＢ信号値との大小に関連して補正信号の値の大小が決定される補正信号を生成し、さらにＧ制御信号により補正信号の大小を制御し、Ｂ補正手段６２に出力する。尚、Ｂ補正信号生成手段５２は、Ｒ信号値に比例し、Ｂ信号値に逆比例し、Ｇ制御信号に比例する傾向であるＢ補正信号を生成する。
Ｂ補正信号生成手段５２が補正信号を生成する演算の一例として、
ＢＫ１は所望する係数であり一例として２．５、
ＢＫ２は所望する係数であり一例として５、
入力されるＲ信号をＲ、ただしＲは０〜２５５、
入力されるＢ信号をＢ、ただしＢは０〜２５５とするとき、
（Ｒ−（Ｂ×ＢＫ１））が負の値の場合では、生成されるＢ補正信号は０、
（Ｒ−（Ｂ×ＢＫ１））が正の値の場合では、
Ｂ補正信号＝（（Ｒ−（Ｂ×ＢＫ１））÷ＢＫ２）×Ｇ制御信号、
であるＢ補正信号を生成する。
尚、ＢＫ１とＢＫ２とは、補正信号を生成する際の所望する係数であり変更も可能で、値を小さくすると生成される補正信号は大きくなり、値を大きくすると生成される補正信号は小さくなる。この係数を適宜設定することにより、補正量や補正範囲を調整が可能であり、色覚異常者が判別困難な見えにくい領域で有効に補正され、Ｇ信号が所望する基準信号値以上である領域では補正がされず健常者にとっても違和感が小さいことの両立が可能になる範囲を適宜設定できる。
【００３６】
Ｂ補正信号生成手段５２は、入力されるＲ信号とＢ信号とに基づき、Ｒ信号値がＢ信号値を所望する係数ＢＫ１倍した値より小さい場合には補正信号は生成せず、Ｒ信号値がＢ信号値を所望する係数ＢＫ１倍した値より大きい場合にはＢ補正信号を生成し、
そのＢ補正信号は、Ｒ信号値が大きいほど若しくはＢ信号値が小さいほど生成されるＢ補正信号値は大きくなり、逆にＲ信号値が小さいほど若しくはＢ信号値が大きいほど生成されるＢ補正信号値は小さくなる、つまり、Ｒ信号値に比例し、Ｂ信号値に逆比例し、さらに係数ＢＫ１にてＲ信号値とＢ信号値との関係から補正信号値と補正範囲が調整される演算結果を、所望する係数ＢＫ２で除算することにより大きさを調整し、さらに、Ｇ制御信号で値の大きさを制御された、つまり、所望する係数ＢＫ２に逆比例しＧ制御信号に比例するＢ補正信号を生成し、Ｂ補正手段６２に出力する。
従ってＢ補正信号は、Ｒ信号値に比例し、Ｂ信号値に逆比例し、さらに係数ＢＫ１にてＲ信号値とＢ信号値との関係から補正信号値と補正範囲が適宜調整され、さらに、所望する係数ＢＫ２に逆比例し、Ｇ制御信号に比例する傾向を有する、つまり、係数とＲ信号値とＢ信号値との関係から補正範囲が適宜設定され、Ｒ信号値に比例し、Ｂ信号値に逆比例し、Ｇ制御信号に比例し、係数にて値を調整される傾向を有することを特徴とする。
【００３７】
この例のＲ信号とＢ信号とＧ制御信号とに基づき生成されたＢ補正信号の代表値は表２と同様である。
【００３８】
尚、Ｂ補正信号生成手段５２が、ルックアップテーブル方式若しくはそれに準ずる方式であっても、Ｒ信号値に比例する傾向であり、Ｂ信号値に逆比例した傾向であり、Ｇ制御信号にて値の大小を制御されたＧ補正信号を生成できる。
【００３９】
Ｇ補正手段６１は、入力端子２１からのＧ信号をＧ補正信号生成手段５１からのＧ補正信号に基づき加算する補正を行い、補正後の信号を出力端子７１に出力する。
Ｂ補正手段６２は、入力端子２２からのＢ信号をＢ補正信号生成手段５２からのＢ補正信号に基づき加算する補正を行い、補正後の信号を出力端子７２に出力する。
この例のＧ補正信号にて補正されたＧ信号の代表値、及び、Ｂ補正信号にて補正されたＢ信号の代表値を次の表３と図４とに示す。
【表３】
2010021986.tif 000005
この表３では上述したように、Ｂ信号値が基準信号値未満であるときに、Ｒ信号値に比例し、且つ、Ｇ信号値に逆比例したＧ補正信号を生成し、そのＧ補正信号をＧ信号に付加する補正を行った補正後の値を示す。同様に、Ｇ信号値が基準信号値未満であるときに、Ｒ信号値に比例し、且つ、Ｂ信号値に逆比例したＢ補正信号を生成し、そのＢ補正信号をＢ信号に付加する補正を行った補正後の値を示す。又、補正のない部分では、元の信号がそのまま出力されている。
【００４０】
その結果、濃い赤を補正する本実施例において、Ｇ信号を補正する場合では、Ｒ信号とＧ信号との値の大小に関連した補正信号を生成し、且つ、Ｂ信号が０の場合は補正量を制御する制御信号は１、つまり、Ｂ信号が無く濃い赤であるためＧ信号の補正を行い、Ｂ信号が０から基準信号値に近づくごとに補正量は減少し、Ｂ信号が例えば基準信号値以上の場合は補正量を制御する制御信号は０、つまり、Ｂ信号が基準信号値以上あり濃い赤では無いため補正は行わない。
Ｂ信号を補正する場では、Ｒ信号とＢ信号との値の大小に関連した補正信号を生成し、且つ、Ｇ信号が０の場合は補正量を制御する制御信号は１、つまり、Ｇ信号が無く濃い赤であるためＢ信号の補正を行い、Ｇ信号が０から基準信号値に近づくごとに補正量は減少し、Ｇ信号が例えば基準信号値以上の場合は補正量を制御する制御信号は０、つまり、Ｇ信号が基準信号値以上あり濃い赤では無いため補正を行わない。
【００４１】
従って、濃い赤を補正する場合には、生成される補正信号や制御信号値も大きいため大きな補正を行い、Ｒ信号＝２５５、Ｇ信号＝０、Ｂ信号＝０が入力されると、それぞれの補正信号値として５１が生成され、Ｒ信号＝２５５、Ｇ信号＝５１、Ｂ信号＝５１に補正する。
又、赤ではあるが他の色成分がある、Ｒ信号＝２５５、Ｇ信号＝１０２、Ｂ信号＝０、やＲ信号＝２５５、Ｇ信号＝０、Ｂ信号＝１０２の場合には、補正信号若しくは制御信号が生成されないため補正は行われない。
さらに、Ｒ信号＝２３０、Ｇ信号＝０、Ｂ信号＝０が入力されるとそれぞれの補正信号値として４６が生成され、Ｒ信号＝２３０、Ｇ信号＝４６、Ｂ信号＝４６に補正し、
Ｒ信号＝２０４、Ｇ信号＝０、Ｂ信号＝０が入力されるとそれぞれの補正信号値として４１が生成され、Ｒ信号＝２０４、Ｇ信号＝４１、Ｂ信号＝４１に補正し、
Ｒ信号＝２５５、Ｇ信号＝２６、Ｂ信号＝２６が入力されるとそれぞれの補正信号値として２８が生成され、Ｒ信号＝２５５、Ｇ信号＝５４、Ｂ信号＝５４に補正し、
Ｒ信号＝２５５、Ｇ信号＝５１、Ｂ信号＝５１が入力されるとそれぞれの補正信号値として１３が生成され、Ｒ信号＝２５５、Ｇ信号＝６４、Ｂ信号＝６４に補正することができる。
【００４２】
又、本実施例のＧ補正信号生成手段５１では、（Ｒ−（Ｇ×ＧＫ１））の演算結果により補正範囲が設定されるが、これ以外のＧ信号用に予め内部に設定されたＧ基準信号値、例えばＧ信号値が１０２（４０％）未満で補正信号を生成するとしても同様な効果が得られる。
さらに、（Ｒ−（Ｇ×ＧＫ１））÷ＧＫ２）×Ｂ制御信号の演算結果により補正量が決定されるが、これ以外のＲ信号値に比例し、Ｇ信号値に逆比例し、Ｂ制御信号（Ｂ信号値に逆比例しＢ信号値とＢ基準信号値との差分値に比例）に比例し、幾つかの係数にて演算を行い大きさを調整する手段であっても同様な効果が得られる。
従って、Ｇ補正信号生成手段５１内に、新たにＧ信号用のＧ基準信号値を予め設定し、Ｒ信号値に比例し、Ｇ信号値に逆比例しＧ信号値とＧ基準信号値との差分値に比例し、Ｂ制御信号（Ｂ信号値に逆比例しＢ信号値とＢ基準信号値との差分値に比例）に比例し、幾つかの係数にて演算を行い大きさを調整する手段としても同様な効果が得られる。
例えば、Ｇ基準信号値をＧＳ、
Ｇ信号値に逆比例し、Ｇ信号値とＧ基準信号値との差分値に比例する信号をＧ制御信号とするとき、
Ｇ制御信号＝（（ＧＳ−Ｇ）÷ＧＳ）、ただしＧ制御信号は０〜１となる例、
Ｂ基準信号値をＢＳ、
Ｂ制御信号＝（（ＢＳ−Ｂ）÷ＢＳ）、ただしＢ制御信号は０〜１となる例であるとき、
Ｇ補正信号＝（（Ｒ÷係数）×Ｇ制御信号  ）×Ｂ制御信号、つまり、
Ｇ補正信号＝（（Ｒ÷ＧＫ２）×（（ＧＳ−Ｇ）÷ＧＳ））×（（ＢＳ−Ｂ）÷ＢＳ）、
としても同様な効果が得られる。
【００４３】
又、本実施例のＢ補正信号生成手段５２では、（Ｒ−（Ｂ×ＢＫ１））の演算結果により補正範囲が設定されるが、これ以外のＢ信号用に予め内部に設定されたＢ基準信号値、例えばＢ信号値が１０２（４０％）未満で補正信号を生成するとしても同様な効果が得られる。
さらに、（Ｒ−（Ｂ×ＢＫ１））÷ＢＫ２）×Ｇ制御信号の演算結果により補正量が決定されるが、これ以外のＲ信号値に比例し、Ｂ信号値に逆比例し、Ｇ制御信号（Ｇ信号値に逆比例しＧ信号値とＧ基準信号値との差分値に比例）に比例し、幾つかの係数にて演算を行い大きさを調整する手段であっても同様な効果が得られる。
従って、Ｂ補正信号生成手段５２内に、新たにＢ信号用のＢ基準信号値を予め設定し、Ｒ信号値に比例し、Ｂ信号値に逆比例しＢ信号値とＢ基準信号値との差分値に比例し、Ｇ制御信号（Ｇ信号値に逆比例しＧ信号値とＧ基準信号値との差分値に比例）に比例し、幾つかの係数にて演算を行い大きさを調整する手段としても同様な効果が得られる。
例えば、Ｂ基準信号値をＢＳ、
Ｂ信号値に逆比例し、Ｂ信号値とＢ基準信号値との差分値に比例する信号をＢ制御信号とするとき、
Ｂ制御信号＝（（ＢＳ−Ｂ）÷ＢＳ）、ただしＢ制御信号は０〜１となる例、
Ｇ基準信号値をＧＳ、
Ｇ制御信号＝（（ＧＳ−Ｇ）÷ＧＳ）、ただしＧ制御信号は０〜１となる例であるとき、
Ｂ補正信号＝（（Ｒ÷係数）×Ｂ制御信号  ）×Ｇ制御信号、つまり、
Ｂ補正信号＝（（Ｒ÷ＢＫ２）×（（ＢＳ−Ｂ）÷ＢＳ））×（ＧＳ−Ｇ）÷ＧＳ）、
としても同様な効果が得られる。
さらに例えば、ＢＳは予め設定された基準信号値であり１０２、
ＧＳは予め設定された基準信号値であり１０２、
ＢＫ２は所望する係数であり一例として５としたとき、生成されるＧ補正信号若しくはＢ補正信号の値は、
Ｒ信号＝２５５、Ｇ信号＝０、Ｂ信号＝０が入力されると補正信号値として５１が生成され、
Ｒ信号＝２３０、Ｇ信号＝０、Ｂ信号＝０が入力されると補正信号値として４６が生成され、
Ｒ信号＝２０４、Ｇ信号＝０、Ｂ信号＝０が入力されると補正信号値として４１が生成され、
Ｒ信号＝２５５、Ｇ信号＝２６、Ｂ信号＝２６が入力されると補正信号値として２８が生成され、
Ｒ信号＝２５５、Ｇ信号＝５１、Ｂ信号＝５１が入力されると補正信号値として１３が生成され、
Ｒ信号＝２５５、Ｇ信号＝１０２、Ｂ信号＝０、やＲ信号＝２５５、Ｇ信号＝０、Ｂ信号＝１０２の場合には補正信号は生成されず、同様な効果が得られる。
【００４４】
以上説明してきたように、Ｇ信号を補正する際には、Ｂ信号値とＢ基準信号値とに基づき生成されたＢ制御信号と、Ｒ信号値とＧ信号値とにより生成された補正信号と、に応じて補正量を変えて補正を行う事ができる。
これにより、濃い赤に対してのみ補正を行い、Ｒ信号値に比例する傾向であり且つＧ信号値若しくはＢ信号値に逆比例した傾向であるＧ補正信号を生成し、このＧ補正信号をＧ信号に付加する補正を行い赤色の見え方を変化させる。つまり、濃い赤であるＲ信号値が大きくなるほど、若しくは、Ｂ信号値若しくはＧ信号値が小さくなるほど大きな補正量のＧ補正信号が付加される。逆に、Ｒ信号値が小さくなるほど、若しくは、Ｂ信号値若しくはＧ信号値が大きくなるほど補正量は小さくなり、さらに、Ｂ信号が所望する基準信号値以上であると補正信号は生成されない。
Ｂ信号を補正する際には、Ｇ信号値とＧ基準信号値とに基づき生成されたＧ制御信号と、Ｒ信号値とＢ信号値とにより生成された補正信号と、に応じて補正量を変えて補正を行う事ができる。
これにより、濃い赤に対してのみ補正を行い、Ｒ信号値に比例する傾向であり且つＧ信号値若しくはＢ信号値に逆比例した傾向であるＢ補正信号を生成し、このＢ補正信号をＢ信号に付加する補正を行い赤色の見え方を変化させる。つまり、濃い赤であるＲ信号値が大きくなるほど、若しくは、Ｇ信号値若しくはＢ信号値が小さくなるほど大きな補正量のＢ補正信号が付加される。逆に、Ｒ信号値が小さくなるほど、若しくは、Ｇ信号値若しくはＢ信号値が大きくなるほど補正量は小さくなり、さらに、Ｇ信号が所望する基準信号値以上であると補正信号は生成されない。
このため、第１色盲を患う者が判別困難な見えにくい領域で有効に補正される事と、Ｇ信号若しくはＢ信号が所望する基準信号値以上である領域では補正がされないため健常者にとっても違和感が小さくなる事との両立が可能になる画像信号補正方法を実行するものである。
【００４５】
次に図２を参照して、画像信号補正手段１０Ａを例に補正する場合の説明を行う。
画像信号補正手段１０Ａは、
画像信号の赤色成分であるＲ信号が入力される入力端子２０と、
画像信号の緑色成分であるＧ信号が入力される入力端子２１と、
画像信号の青色成分であるＢ信号が入力される入力端子２２と、
所望する基準信号を生成するＲ基準信号生成手段３０と、
入力端子２０とＲ基準信号生成手段３０と後段のＢ補正信号生成手段５２とに接続されたＲ制御信号生成手段４０と、
入力端子２１と入力端子２２とＲ制御信号生成手段４０と後段のＢ補正手段６２とに接続されたＢ補正信号生成手段５２と、
入力端子２２とＢ補正信号生成手段５２と後段の出力端子７２とに接続されたＢ補正手段６２と、
入力端子２０に接続された出力端子７０と、
入力端子２１に接続された出力端子７１と、
Ｂ補正手段６２に接続された出力端子７２と、が備えられている。
尚、Ｒ制御信号生成手段４０に必要なＲ基準信号は、Ｒ制御信号生成手段４０に予め値を設定することも可能である。その場合Ｒ基準信号生成手段３０は不要である。
又、基準信号値は、第１色盲を患う者が判別困難な見えにくい領域で有効に補正される事と、Ｒ信号が所望する基準信号値以上である領域では補正がされないため健常者にとっても違和感が小さくなる事と、を両立させるため、例えば、最大値の半分より小さい所定の値、望ましくは、最大値の２５％〜４９％程度、更に望ましくは、最大値の４０％（信号値１０２）程度に定めるとよい。但し、効果を妨げない程度に、種々の変更が可能である。補正の範囲を広げたい場合は、５０％超としてもよい。但し健常者との両立を考えると、１００％近くとすることは、あまり望ましくない。また、比較的、健常者に近い状態の色覚異常者の場合などでは、この基準値を小さくして、補正の領域を狭めるようにしても良い。
本実施例として、Ｒ基準信号生成手段３０は、１０２（４０％）の基準信号を生成する例とする。
【００４６】
上記のように構成された画像信号補正手段１０Ａは、濃い緑であるＧ信号値が大きくなるほど、若しくは、Ｒ信号値若しくはＢ信号値が小さくなるほど、大きくな補正量のＢ補正信号が付加される。逆に、Ｇ信号値が小さくなるほど、若しくは、Ｒ信号値若しくはＢ信号値が大きくなるほど、補正量は小さくなり、さらに、Ｒ信号が所望する基準信号値以上であると補正信号は生成されない。
この画像信号補正手段１０Ａに、濃い緑であるＲ信号＝０、Ｇ信号＝２５５、Ｂ信号＝０が入力された際に、Ｒ信号＝０、Ｇ信号＝２５５、Ｂ信号＝５１に補正する場合を、図２を参照して説明を行う。
【００４７】
画像信号補正手段１０Ａの入力端子２０、２１、２２には、それぞれＲ信号＝０、Ｇ信号＝２５５、Ｂ信号＝０が入力される。
入力端子２０には、画像信号の赤色成分であるＲ信号が入力され、
入力端子２１には、画像信号の緑色成分であるＧ信号が入力され、
入力端子２２には、画像信号の青色成分であるＢ信号が入力される。
従って、Ｒ信号は、Ｒ制御信号生成手段４０に入力されと共に出力端子７０にて出力され、
Ｇ信号は、Ｂ補正信号生成手段５２に入力されと共に出力端子７１にて出力され、
Ｂ信号は、Ｂ補正信号生成手段５２とＢ補正手段６２とに入力される。
【００４８】
Ｒ制御信号生成手段４０は、入力されるＲ信号とＲ基準信号とに基づき、Ｒ信号値がＲ基準信号値より大きい場合にはＲ制御信号は生成せず、Ｒ信号値がＲ基準信号値より小さい場合にはＲ基準信号値からＲ信号値を引いた結果の差分値の大きさに連動した、つまり、差分値が小さければＢ制御信号は小さく、差分値が大きければＢ制御信号は大きくなる傾向の演算を行いＲ制御信号を生成して、後段のＢ補正信号生成手段５２に出力する。従ってＲ制御信号は、Ｒ信号値に逆比例しＲ信号値とＲ基準信号値との差分値に比例する特徴を有し、後段のＢ補正信号生成手段５２の補正量の大小を制御する。
Ｒ制御信号生成手段４０が制御信号を生成する演算の一例として、
入力されるＲ信号をＲ、ただしＲは０〜２５５、
Ｒ基準信号生成手段３０で生成されるＲ基準信号をＲＳ、ただしＲＳは０〜２５５とするとき
（ＲＳ−Ｒ）が負の値の場合では、生成されるＲ制御信号は０、
（ＲＳ−Ｒ）が正の値の場合では、Ｒ制御信号＝（ＲＳ−Ｒ）÷ＲＳ、
である制御信号を生成する。従って、Ｒ制御信号は０〜１となる。
本実施例では上記の式によって、Ｒ制御信号が０〜１の範囲になるように定めているが、種々の変更が可能である。尚、Ｒ制御信号は、補正量を定めるための、補正量に比例する信号であり、０であれば補正量＝０であり、数値が大きくなるほどＲ補正信号値が大きくなり、１であれば補正量が最大となる。
【００４９】
この例のＲ信号とＲ基準信号とに基づき生成されたＲ制御信号の代表値を次の表４に示す。
【表４】
2010021986.tif 000006
この表４に示す様に制御信号は、入力信号が基準信号未満になったときに補正信号の大小を制御するための制御信号が生成され、入力信号が基準値未満で且つ小さな値ほど大きな制御信号が生成され、入力信号が基準値未満で且つ大きな値ほど小さな制御信号が生成される。
【００５０】
尚、Ｒ制御信号生成手段４０が、ルックアップテーブル方式若しくはそれに準ずる方式である場合には、Ｒ基準信号生成手段３０は無くても良いし、ルックアップテーブル手段に内蔵させても良く、上記と同様なＲ制御信号が得られる。
【００５１】
Ｂ補正信号生成手段５２は、Ｇ信号値とＢ信号値とＲ制御信号値とに応じて一意に値が決定される、つまり、Ｇ信号値とＢ信号値との大小に関連して補正信号の値の大小が決定される補正信号を生成し、さらにＲ制御信号により補正信号の大小を制御し、Ｂ補正手段６２に出力する。尚、Ｂ補正信号生成手段５２は、Ｇ信号値に比例し、Ｂ信号値に逆比例し、Ｒ制御信号に比例する傾向であるＢ補正信号を生成する。
Ｂ補正信号生成手段５２が補正信号を生成する演算の一例として、
ＢＫ１は所望する係数であり一例として２．５、
ＢＫ２は所望する係数であり一例として５、
入力されるＧ信号をＧ、ただしＧは０〜２５５、
入力されるＢ信号をＢ、ただしＢは０〜２５５とするとき、
（Ｇ−（Ｂ×ＢＫ１））が負の値の場合では、生成されるＢ補正信号は０、
（Ｇ−（Ｂ×ＢＫ１））が正の値の場合では、
Ｂ補正信号＝（（Ｇ−（Ｂ×ＢＫ１））÷ＢＫ２）×Ｒ制御信号、
である補正信号Ｂを生成する。
尚、ＢＫ１とＢＫ２とは、補正信号を生成する際の所望する係数であり変更も可能で、値を小さくすると生成される補正信号は大きくなり、値を大きくすると生成される補正信号は小さくなる。この係数を適宜設定することにより、補正量や補正範囲の調整が可能であり、色覚異常者が判別困難な見えにくい領域で有効に補正され、Ｒ信号が所望する基準信号値以上である領域では補正がされず健常者にとっても違和感が小さいことの両立が可能になる範囲を適宜設定できる。
【００５２】
Ｂ補正信号生成手段５２は、入力されるＧ信号とＢ信号とに基づき、Ｇ信号値がＢ信号値を所望する係数ＢＫ１倍した値より小さい場合には補正信号は生成せず、Ｇ信号値がＢ信号値を所望する係数ＢＫ１倍した値より大きい場合にはＢ補正信号を生成し、
そのＢ補正信号は、Ｇ信号値が大きいほど若しくはＢ信号値が小さいほど生成されるＢ補正信号値は大きくなり、逆にＧ信号値が小さいほど若しくはＢ信号値が大きいほど生成されるＢ補正信号値は小さくなる、つまり、Ｇ信号値に比例し、Ｂ信号値に逆比例し、さらに係数ＢＫ１にてＧ信号値とＢ信号値との関係から補正信号値と補正範囲が調整される演算結果を、所望する係数ＢＫ２で除算することにより大きさを調整し、さらに、Ｒ制御信号で値の大きさを制御された、つまり、所望する係数ＢＫ２に逆比例しＲ制御信号に比例するＢ補正信号を生成し、Ｂ補正手段６２に出力する。
従ってＢ補正信号は、Ｇ信号値に比例し、Ｂ信号値に逆比例し、さらに係数ＢＫ１にてＧ信号値とＢ信号値との関係から補正信号値と補正範囲が適宜設定され、さらに、所望する係数ＢＫ２に逆比例し、Ｒ制御信号に比例する傾向を有する、つまり、係数とＧ信号とＢ信号との関係から補正範囲が適宜設定され、Ｇ信号値に比例し、Ｂ信号値に逆比例し、Ｒ制御信号に比例し、係数にて値を調整される傾向を有することを特徴とする。
【００５３】
この例のＧ信号とＢ信号とＲ制御信号とに基づき生成されたＢ補正信号の代表値を次の表５に示す。
【表５】
2010021986.tif 000007
この表５に示す様にＢ補正信号は、Ｒ信号値がＲ基準信号値未満であるときに、Ｇ信号値に比例し、且つ、Ｂ信号値に逆比例したＢ補正信号が生成される。
【００５４】
尚、Ｂ補正信号生成手段５２が、ルックアップテーブル方式若しくはそれに準ずる方式であっても、Ｇ信号値に比例する傾向であり、Ｂ信号値に逆比例した傾向であり、Ｒ制御信号にて値の大小を制御されたＢ補正信号を生成できる。
【００５５】
Ｂ補正手段６２は、入力端子２２からのＢ信号をＢ補正信号生成手段５２からのＢ補正信号に基づき加算する補正を行い、補正後の信号を出力端子７２に出力する。
この例のＢ補正信号にて補正されたＢ信号の代表値を次の表６と図５とに示す。
【表６】
2010021986.tif 000008
この表６では上述したように、Ｒ信号値が基準信号値未満であるときに、Ｇ信号値に比例し、且つ、Ｂ信号値に逆比例した状態のＢ補正信号を生成し、そのＢ補正信号をＢ信号に付加する補正を行った、補正後の値を示す。又、補正のない部分では、元の信号がそのまま出力されている。
【００５６】
その結果、濃い緑を補正する本実施例において、Ｂ信号を補正する場合では、Ｇ信号とＢ信号との値の大小に関連した補正信号を生成し、且つ、Ｒ信号が０の場合は補正量を制御する制御信号は１、つまり、Ｒ信号が無く濃い緑であるためＢ信号の補正を行い、Ｒ信号が０から基準信号値に近づくごとに補正量は減少し、Ｒ信号が例えば基準信号値以上の場合は補正量を制御する制御信号は０、つまり、Ｒ信号が基準信号値以上あり濃い緑では無いため補正は行わない。
【００５７】
従って、濃い緑を補正する場合には、生成される補正信号や制御信号値も大きいため大きな補正を行い、Ｒ信号＝０、Ｇ信号＝２５５、Ｂ信号＝０が入力されると、補正信号値として５１が生成され、Ｒ信号＝０、Ｇ信号＝２５５、Ｂ信号＝５１に補正する。
又、緑ではあるが他の色成分がある、Ｒ信号＝１０２、Ｇ信号＝２５５、Ｂ信号＝０、やＲ信号＝０、Ｇ信号＝２５５、Ｂ信号＝１０２の場合には、補正信号若しくは制御信号が生成されないため補正は行われない。
さらに、Ｒ信号＝０、Ｇ信号＝２３０、Ｂ信号＝０が入力されると補正信号値として４６が生成され、Ｒ信号＝０、Ｇ信号＝２３０、Ｂ信号＝４６に補正し、
Ｒ信号＝０、Ｇ信号＝２０４、Ｂ信号＝０が入力されるとそれぞれの補正信号値として４１が生成され、Ｒ信号＝０、Ｇ信号＝２０４、Ｂ信号＝４１に補正し、
Ｒ信号＝０、Ｇ信号＝２５５、Ｂ信号＝２６が入力されるとそれぞれの補正信号値として２８が生成され、Ｒ信号＝０、Ｇ信号＝２５５、Ｂ信号＝５４に補正し、
Ｒ信号＝０、Ｇ信号＝２５５、Ｂ信号＝５１が入力されるとそれぞれの補正信号値として１３が生成され、Ｒ信号＝０、Ｇ信号＝２５５、Ｂ信号＝６４に補正することができる。
【００５８】
又、本実施例のＢ補正信号生成手段５２では、（Ｇ−（Ｂ×ＢＫ１））の演算結果により補正範囲が設定されるが、これ以外のＢ信号用に予め内部に設定されたＢ基準信号値、例えばＢ信号値が１０２（４０％）未満で補正信号を生成するとしても同様な効果が得られる。
さらに、（Ｇ−（Ｂ×ＢＫ１））÷ＢＫ２）×Ｒ制御信号の演算結果により補正量が決定されるが、これ以外のＧ信号値に比例し、Ｂ信号値に逆比例し、Ｒ制御信号（Ｒ信号値に逆比例しＲ信号値とＲ基準信号値との差分値に比例）に比例し、幾つかの係数にて演算を行い大きさを調整する手段であっても同様な効果が得られる。
従って、Ｂ補正信号生成手段５２内に、新たにＢ信号用のＢ基準信号値を予め設定し、Ｇ信号値に比例し、Ｂ信号値に逆比例しＢ信号値とＢ基準信号値との差分値に比例し、Ｒ制御信号（Ｒ信号値に逆比例しＲ信号値とＲ基準信号値との差分値に比例）に比例し、幾つかの係数にて演算を行い大きさを調整する手段としても同様な効果が得られる。
例えば、Ｂ基準信号値をＢＳ、
Ｂ信号値に逆比例し、Ｂ信号値とＢ基準信号値との差分値に比例する信号をＢ制御信号とするとき、
Ｂ制御信号＝（（ＢＳ−Ｂ）÷ＢＳ）、ただしＢ制御信号は０〜１となる例、
Ｒ基準信号値をＲＳ、
Ｒ制御信号＝（（ＲＳ−Ｒ）÷ＲＳ）、ただしＲ制御信号は０〜１となる例であるとき、
Ｂ補正信号＝（（Ｇ÷係数）×Ｂ制御信号  ）×Ｒ制御信号、つまり、
Ｂ補正信号＝（（Ｇ÷ＢＫ２）×（（ＢＳ−Ｂ）÷ＢＳ））×（ＲＳ−Ｒ）÷ＲＳ）、
としても同様な効果が得られる。
さらに例えば、ＲＳは予め設定された基準信号値であり１０２、
ＢＳは予め設定された基準信号値であり１０２、
ＢＫ２は所望する係数であり一例として５としたとき、生成されるＢ補正信号の値は、
Ｇ信号＝２５５、Ｂ信号＝０、Ｒ信号＝０が入力されると補正信号値として５１が生成され、
Ｇ信号＝２３０、Ｂ信号＝０、Ｒ信号＝０が入力されると補正信号値として４６が生成され、
Ｇ信号＝２０４、Ｂ信号＝０、Ｒ信号＝０が入力されると補正信号値として４１が生成され、
Ｇ信号＝２５５、Ｂ信号＝２６、Ｒ信号＝２６が入力されると補正信号値として２８が生成され、
Ｇ信号＝２５５、Ｂ信号＝５１、Ｒ信号＝５１が入力されると補正信号値として１３が生成され、
Ｇ信号＝２５５、Ｂ信号＝１０２、Ｒ信号＝０、やＲ信号＝２５５、Ｇ信号＝０、Ｂ信号＝１０２の場合には補正信号は生成されず、同様な効果が得られる。
【００５９】
以上説明してきたように、Ｂ信号を補正する際には、Ｒ信号値とＲ基準信号値とに基づき生成されるＲ制御信号と、Ｇ信号値とＢ信号値とにより生成された補正信号と、に応じて補正量を変えて補正することができる。
これにより、濃い緑に対してのみ補正を行い、Ｇ信号値に比例する傾向であり且つＲ信号値若しくはＢ信号値に逆比例した傾向であるＢ補正信号を生成し、このＢ補正信号をＢ信号に付加する補正を行い緑色の見え方を変化させる。つまり、濃い緑であるＧ信号値が大きくなるほど、若しくは、Ｒ信号値若しくはＢ信号値が小さくなるほど大きくな補正量のＢ補正信号が付加される。逆に、Ｇ信号値が小さくなるほど、若しくは、Ｒ信号値若しくはＢ信号値が大きくなるほど補正量は小さくなり、さらに、Ｒ信号が所望する基準信号値以上であると補正信号は生成されない。
このため、第１色盲を患う者が判別困難な見えにくい領域で有効に補正される事と、Ｒ信号が所望する基準信号値以上である領域では補正がされないため健常者にとっても違和感が小さくなる事との両立が可能になる画像信号補正方法を実行するものである。
【００６０】
次に図３を参照して、画像信号補正手段１０Ｂを例に説明を行う。
画像信号補正手段１０Ｂは、
画像信号の赤色成分であるＲ信号が入力される入力端子２０と、
画像信号の緑色成分であるＧ信号が入力される入力端子２１と、
画像信号の青色成分であるＢ信号が入力される入力端子２２と、
所望する基準信号を生成するＧ基準信号生成手段３１と、
所望する基準信号を生成するＲ基準信号生成手段３０と、
入力端子２１とＧ基準信号生成手段３１と後段のＲ補正信号生成手段５０とに接続されたＧ制御信号生成手段４１と、
入力端子２０とＲ基準信号生成手段３０と後段のＧ補正信号生成手段５１とに接続されたＲ制御信号生成手段４０と、
入力端子２０と入力端子２２とＧ制御信号生成手段４１と後段のＲ補正手段６０とに接続されたＲ補正信号生成手段５０と、
入力端子２１と入力端子２２とＲ制御信号生成手段４０と後段のＧ補正手段６１とに接続されたＧ補正信号生成手段５１と、
入力端子２０とＲ補正信号生成手段５０と後段の出力端子７０とに接続されたＲ補正手段６０と、
入力端子２１とＧ補正信号生成手段５１と後段の出力端子７１とに接続されたＧ補正手段６１と、
Ｒ補正手段６０に接続された出力端子７０と、
Ｇ補正手段６１に接続された出力端子７１と、
入力端子２２に接続された出力端子７２と、が備えられている。
尚、Ｇ制御信号生成手段４１に必要なＧ基準信号は、Ｇ制御信号生成手段４１に予め値を設定することも可能である。その場合Ｇ基準信号生成手段３１は不要である。同様にＲ制御信号生成手段４０に必要なＲ基準信号は、Ｒ制御信号生成手段４０に予め値を設定することも可能である。その場合Ｒ基準信号生成手段３０は不要である。
又、それぞれの基準信号値は、第３色盲を患う者が判別困難な見えにくい領域で有効に補正される事と、Ｒ信号やＧ信号が所望する基準信号値以上である領域では補正がされないため健常者にとっても違和感が小さくなる事と、を両立させるため、例えば、最大値の半分より小さい所定の値、望ましくは、最大値の２５％〜４９％程度、更に望ましくは、最大値の４０％（信号値１０２）程度に定めるとよい。但し、効果を妨げない程度に、種々の変更が可能である。補正の範囲を広げたい場合は、５０％超としてもよい。但し健常者との両立を考えると、１００％近くとすることは、あまり望ましくない。また、比較的、健常者に近い状態の色覚異常者の場合などでは、この基準値を小さくして、補正の領域を狭めるようにしても良い。
本実施例として、Ｇ基準信号生成手段３１とＲ基準信号生成手段３０とは、１０２（４０％）の基準信号を生成する例とする。
【００６１】
上記のように構成された画像信号補正手段１０Ｂは、濃い青であるＢ信号値が大きくなるほど、若しくは、Ｒ信号値若しくはＧ信号値が小さくなるほど、大きな補正量のＲ補正信号若しくはＧ補正信号が付加される。逆に、Ｂ信号値が小さくなるほど、若しくは、Ｒ信号若しくはＧ信号が大きくなるほど、補正量は小さくなり、さらに、Ｒ信号若しくはＧ信号が所望する基準信号値以上であると補正信号は生成されない。
この画像信号補正手段１０Ｂに、濃い青であるＲ信号＝０、Ｇ信号＝０、Ｂ信号＝２５５が入力された際に、Ｒ信号＝５１、Ｇ信号＝５１、Ｂ信号＝２５５に補正する場合を、図３を参照して説明を行う。
【００６２】
画像信号補正手段１０Ｃの入力端子２０、２１、２２には、それぞれＲ信号＝０、Ｇ信号＝０、Ｂ信号＝２５５が入力される。
入力端子２０には、画像信号の赤色成分であるＲ信号が入力され、
入力端子２１には、画像信号の緑色成分であるＧ信号が入力され、
入力端子２２には、画像信号の青色成分であるＢ信号が入力される。
従って、Ｒ信号は、Ｒ制御信号生成手段４０とＲ補正信号生成手段５０とＲ補正手段６０とに入力され、
Ｇ信号は、Ｇ制御信号生成手段４１とＧ補正信号生成手段５１とＧ補正手段６１とに入力され、
Ｂ信号は、Ｒ補正信号生成手段５０とＧ補正信号生成手段５１とに入力されと共に出力端子７２にて出力される。
【００６３】
Ｇ制御信号生成手段４１は、入力されるＧ信号とＧ基準信号とに基づき、Ｇ信号値がＧ基準信号値より大きい場合にはＧ制御信号は生成せず、Ｇ信号値がＧ基準信号値より小さい場合にはＧ基準信号値からＧ信号値を引いた結果の差分値の大きさに連動した、つまり、差分値が小さければＧ制御信号は小さく、差分値が大きければＧ制御信号は大きくなる傾向の演算を行いＧ制御信号を生成して、後段のＲ補正信号生成手段５０に出力する。従ってＧ制御信号は、Ｇ信号値に逆比例しＧ信号値とＧ基準信号値との差分値に比例する特徴を有し、後段のＲ補正信号生成手段５０の補正量の大小を制御する。
Ｇ制御信号生成手段４１が制御信号を生成する演算の一例として、
入力されるＧ信号をＧ、ただしＧは０〜２５５、
Ｇ基準信号生成手段３１で生成されるＧ基準信号をＧＳ、ただしＧＳは０〜２５５とするとき、
（ＧＳ−Ｇ）が負の値の場合では、生成されるＧ制御信号は０、
（ＧＳ−Ｇ）が正の値の場合では、Ｇ制御信号＝（ＧＳ−Ｇ）÷ＧＳ、
である制御信号を生成する。従って、Ｇ制御信号は０〜１となる。
本実施例では上記の式によって、Ｇ制御信号が０〜１の範囲になるように定めているが、種々の変更が可能である。尚、Ｇ制御信号は、補正量を定めるための、補正量に比例する信号であり、０であれば補正量＝０であり、数値が大きくなるほど、Ｇ補正信号値が大きくなり、１であれば補正量が最大となる。
【００６４】
この例のＧ信号とＧ基準信号とに基づき生成されたＧ制御信号の代表値を次の表７に示す。
【表７】
2010021986.tif 000009
この表７に示す様に制御信号は、入力信号が基準信号未満になったときに補正信号の大小を制御するための制御信号が生成され、入力信号が基準値未満で且つ小さな値ほど大きな制御信号が生成され、入力信号が基準値未満で且つ大きな値ほど小さな制御信号が生成される。
【００６５】
尚、Ｇ制御信号生成手段４１が、ルックアップテーブル方式若しくはそれに準ずる方式である場合には、Ｇ基準信号生成手段３１は無くても良いし、ルックアップテーブル手段に内蔵させても良く、上記と同様なＧ制御信号を得られる。
【００６６】
Ｒ補正信号生成手段５０は、Ｂ信号値とＲ信号値とＧ制御信号値とに応じて一意に値が決定される、つまり、Ｂ信号値とＲ信号値との大小に関連して補正信号の値の大小が決定される補正信号を生成し、さらにＧ制御信号により補正信号の大小を制御し、Ｒ補正手段６０に出力する。尚、Ｒ補正信号生成手段５０は、Ｂ信号値に比例し、Ｒ信号値に逆比例し、Ｇ制御信号値に比例する傾向であるＲ補正信号を生成する。
Ｒ補正信号生成手段５０が補正信号を生成する演算の一例として、
ＲＫ１は所望する係数であり一例として２．５、
ＲＫ２は所望する係数であり一例として５、
入力されるＲ信号をＲ、ただしＲは０〜２５５、
入力されるＢ信号をＢ、ただしＢは０〜２５５とするとき、
（Ｂ−（Ｒ×ＲＫ１））が負の値の場合では、生成されるＲ補正信号は０、
（Ｂ−（Ｒ×ＲＫ１））が正の値の場合では、
Ｒ補正信号＝（（Ｂ−（Ｒ×ＲＫ１））÷ＲＫ２）×Ｇ制御信号、
であるＲ補正信号を生成する。
尚、ＲＫ１とＲＫ２とは、補正信号を生成する際の所望する係数であり変更も可能で、値を小さくすると生成される補正信号は大きくなり、値を大きくすると生成される補正信号は小さくなる。この係数を適宜設定することにより、補正量や補正範囲の調整が可能であり、色覚異常者が判別困難で見えにくい領域で有効に補正され、Ｇ信号が所望する基準信号値以上である領域では補正がされず健常者にとっても違和感が小さいことの両立が可能になる範囲を適宜設定できる。
【００６７】
Ｒ補正信号生成手段５０は、入力されるＢ信号とＲ信号とに基づき、Ｂ信号値がＲ信号値を所望する係数ＲＫ１倍した値より小さい場合にはＲ補正信号は生成せず、Ｂ信号値がＲ信号値を所望する係数ＲＫ１倍した値より大きい場合にはＲ補正信号を生成し、
そのＲ補正信号は、Ｂ信号値が大きいほど若しくはＲ信号値が小さいほど生成されるＲ補正信号値は大きくなり、逆にＢ信号値が小さいほど若しくはＲ信号値が大きいほど生成されるＲ補正信号値は小さくなる、つまり、Ｂ信号値に比例し、Ｒ信号値に逆比例し、さらに係数ＲＫ１にてＢ信号値とＲ信号値との関係から補正信号値と補正範囲が調整される演算結果を、所望する係数ＲＫ２で除算することにより大きさを調整し、さらに、Ｇ制御信号で値の大きさを制御された、つまり、所望する係数ＲＫ２に逆比例しＧ制御信号に比例するＲ補正信号を生成し、Ｒ補正手段６０に出力する。
従ってＲ補正信号は、Ｂ信号値に比例し、Ｒ信号値に逆比例し、さらに係数ＲＫ１にてＢ信号値とＲ信号値との関係から補正信号値と補正範囲が適宜設定され、さらに、所望する係数ＲＫ２に逆比例し、Ｇ制御信号に比例する傾向を有する、つまり、係数とＢ信号とＲ信号との関係から補正範囲が適宜設定され、Ｂ信号値に比例し、Ｒ信号値に逆比例し、Ｇ制御信号に比例し、係数にて値を調整される傾向を有することを特徴とする。
【００６８】
この例のＢ信号とＲ信号とＧ制御信号とに基づき生成されたＲ補正信号の代表値を次の表８に示す。
【表８】
2010021986.tif 000010
この表８に示す様にＲ補正信号は、Ｇ信号値がＧ基準信号値未満であるときに、Ｂ信号値に比例し、且つ、Ｒ信号値に逆比例したＲ補正信号が生成される。
【００６９】
尚、Ｒ補正信号生成手段５０が、ルックアップテーブル方式若しくはそれに準ずる方式であっても、Ｂ信号値に比例する傾向であり、Ｒ信号値に逆比例した傾向であり、Ｇ制御信号にて値の大小を制御されたＲ補正信号を生成できる。
【００７０】
Ｒ制御信号生成手段４０は、入力されるＲ信号とＲ基準信号とに基づき、Ｒ信号値がＲ基準信号値より大きい場合にはＲ制御信号は生成せず、Ｒ信号値がＲ基準信号値より小さい場合にはＲ基準信号値からＲ信号値を引いた結果の差分値の大きさに連動した、つまり、差分値が小さければＲ制御信号は小さく、差分値が大きければＲ制御信号は大きなる傾向の演算を行いＲ制御信号を生成して、後段のＧ補正信号生成手段５１に出力する。従ってＲ制御信号は、Ｒ信号値に逆比例しＲ信号値とＲ基準信号値との差分値に比例する特徴を有し、後段のＧ補正信号生成手段５１の補正量の大小を制御する。
Ｒ制御信号生成手段４０が制御信号を生成する演算の一例として、
入力されるＲ信号をＲ、ただしＲは０〜２５５、
Ｒ基準信号生成手段３０で生成されるＲ基準信号をＲＳ、ただしＲＳは０〜２５５とするとき
（ＲＳ−Ｒ）が負の値の場合では、生成されるＲ制御信号は０、
（ＲＳ−Ｒ）が正の値の場合では、Ｒ制御信号＝（ＲＳ−Ｒ）÷ＲＳ、
である制御信号を生成する。従って、Ｒ制御信号は０〜１となる。
本実施例では上記の式によって、Ｒ制御信号が０〜１の範囲になるように定めているが、種々の変更が可能である。尚、Ｒ制御信号は、補正量を定めるための、補正量に比例する信号であり、０であれば補正量＝０であり、数値が大きくなるほどＲ補正信号値が大きくなり、１であれば補正量が最大となる。
【００７１】
この例のＲ信号とＲ基準信号とに基づき生成されたＲ制御信号の代表値は表７と同様である。
【００７２】
尚、Ｒ制御信号生成手段４０が、ルックアップテーブル方式若しくはそれに準ずる方式である場合には、Ｒ基準信号生成手段３０は無くても良いし、ルックアップテーブル手段に内蔵させても良く上記と同様なＲ制御信号を得られる。
【００７３】
Ｇ補正信号生成手段５１は、Ｇ信号値とＢ信号値とＲ制御信号値とに応じて一意に値が決定される、つまり、Ｇ信号値とＢ信号値との大小に関連して補正信号の値の大小が決定される補正信号を生成し、さらにＲ制御信号により補正信号の大小を制御し、Ｇ補正手段６１に出力する。尚、Ｇ補正信号生成手段５１は、Ｂ信号値に比例し、Ｇ信号値に逆比例し、Ｒ制御信号に比例する傾向であるＧ補正信号を生成する。
Ｇ補正信号生成手段５１が補正信号を生成する演算の一例として、
ＧＫ１は所望する係数であり一例として２．５、
ＧＫ２は所望する係数であり一例として５、
入力されるＧ信号をＧ、ただしＧは０〜２５５、
入力されるＢ信号をＢ、ただしＢは０〜２５５とするとき、
（Ｂ−（Ｇ×ＧＫ１））が負の値の場合では、生成されるＧ補正信号は０、
（Ｂ−（Ｇ×ＧＫ１））が正の値の場合では、
Ｇ補正信号＝（（Ｂ−（Ｇ×ＧＫ１））÷ＧＫ２）×Ｒ制御信号、
であるＧ補正信号を生成する。
尚、ＧＫ１とＧＫ２とは、補正信号を生成する際の所望する係数であり変更も可能で、値を小さくすると生成される補正信号は大きくなり、値を大きくすると生成される補正信号は小さくなる。この係数を適宜設定することにより、補正量や補正範囲を調整が可能であり、色覚異常者が判別困難な見えにくい領域で有効に補正され、Ｒ信号が所望する基準信号値以上である領域では補正がされず健常者にとっても違和感が小さいことの両立が可能になる範囲を適宜設定できる。
【００７４】
Ｇ補正信号生成手段５１は、入力されるＢ信号とＧ信号とに基づき、Ｂ信号値がＧ信号値を所望する係数ＧＫ１倍した値より小さい場合には補正信号は生成せず、Ｂ信号値がＧ信号値を所望する係数ＧＫ１倍した値より大きい場合にはＧ補正信号を生成し、
そのＧ補正信号は、Ｂ信号値が大きくほど若しくはＧ信号値が小さいほど生成されるＧ補正信号値は大きくなり、逆にＢ信号値が小さいほど若しくはＧ信号値が大きいほど生成されるＧ補正信号値は小さくなる、つまり、Ｂ信号値に比例し、Ｇ信号値に逆比例し、さらに係数ＧＫ１にてＢ信号値とＧ信号値との関係から補正信号値と補正範囲が調整される演算結果を、所望する係数ＧＫ２で除算することにより大きさを調整し、さらに、Ｒ制御信号で値の大きさを制御された、つまり、所望する係数ＧＫ２に逆比例しＲ制御信号に比例するＧ補正信号を生成し、Ｇ補正手段６１に出力する。
従ってＧ補正信号は、Ｂ信号値に比例し、Ｇ信号値に逆比例し、さらに係数ＧＫ１にてＢ信号値とＧ信号値との関係から補正信号値と補正範囲が適宜設定され、さらに、所望する係数ＧＫ２に逆比例し、Ｒ制御信号に比例する傾向を有する、つまり、係数とＢ信号とＧ信号との関係から補正範囲が適宜設定され、Ｂ信号値に比例し、Ｇ信号値に逆比例し、Ｒ制御信号に比例し、係数にて値を調整される傾向を有することを特徴とする。
【００７５】
この例のＢ信号とＧ信号とＲ制御信号とに基づき生成されたＧ補正信号の代表値は表８と同様である。
【００７６】
尚、Ｇ補正信号生成手段５１が、ルックアップテーブル方式若しくはそれに準ずる方式であっても、Ｂ信号値に比例する傾向であり、Ｇ信号値に逆比例した傾向であり、Ｒ制御信号にて値の大小を制御されたＧ制御信号を生成できる。
【００７７】
Ｒ補正手段６０は、入力端子２０からのＲ信号をＲ補正信号生成手段５０からのＲ補正信号に基づき加算する補正を行い、補正後の信号を出力端子７０に出力する。
Ｇ補正手段６１は、入力端子２１からのＧ信号をＧ補正信号生成手段５１からのＧ補正信号に基づき加算する補正を行い、補正後の信号を出力端子７１に出力する。
この例のＲ補正信号にて補正されたＲ信号の代表値、及び、Ｇ補正信号にて補正されたＧ信号の代表値を次の表９と図６とに示す。
【表９】
2010021986.tif 000011
この表９では上述したように、Ｇ信号値が基準信号値未満であるときに、Ｂ信号値に比例し、且つ、Ｒ信号値に逆比例したＲ補正信号を生成し、そのＲ補正信号をＲ信号に付加する補正を行った補正後の値を示す。同様に、Ｒ信号値が基準信号値未満であるときに、Ｂ信号値に比例し、且つ、Ｇ信号値に逆比例したＧ補正信号を生成し、そのＧ補正信号をＧ信号に付加する補正を行った補正後の値を示す。又、補正のない部分では、元の信号がそのまま出力されている。
【００７８】
その結果、濃い青を補正する本実施例において、Ｒ信号を補正する場合は、Ｒ信号とＢ信号との値の大小に関連した補正信号を生成し、且つ、Ｇ信号が０の場合は補正量を制御する制御信号は１、つまり、Ｇ信号が無く濃い青であるためＲ信号の補正を行い、Ｇ信号が０から基準信号値に近づくごとに補正量は減少し、Ｇ信号が例えば基準信号値以上の場合は補正量を制御する制御信号は０、つまり、Ｇ信号が基準信号値以上あり濃い青では無いため補正は行わない。
Ｇ信号を補正する場合は、Ｇ信号とＢ信号との値の大小に関連した補正信号を生成し、且つ、Ｒ信号が０の場合は補正量を制御する制御信号は１、つまり、Ｒ信号が無く濃い青であるためＧ信号の補正を行い、Ｒ信号が０から基準信号値に近づくごとに補正量は減少し、Ｒ信号が例えば基準信号値以上の場合は補正量を制御する制御信号は０、つまり、Ｒ信号が基準信号値以上あり濃い青では無いため補正は行わない。
【００７９】
従って、濃い青を補正する場合には、生成される補正信号や制御信号値も大きいため大きな補正を行い、Ｒ信号＝０、Ｇ信号＝０、Ｂ信号＝２５５が入力されると、それぞれの補正信号値として５１が生成され、Ｒ信号＝５１、Ｇ信号＝５１、Ｂ信号＝２５５に補正することができる。
又、青ではあるが他の色成分がある、Ｒ信号＝１０２、Ｇ信号＝０、Ｂ信号＝２５５、やＲ信号＝０、Ｇ信号＝１０２、Ｂ信号＝２５５、の場合には補正信号若しくは制御信号が生成されないため補正は行われない。
さらに、Ｒ信号＝０、Ｇ信号＝０、Ｂ信号＝２３０が入力されるとそれぞれの補正信号値として４６が生成され、Ｒ信号＝４６、Ｇ信号＝４６、Ｂ信号＝２３０に補正し、
Ｒ信号＝０、Ｇ信号＝０、Ｂ信号＝２０４が入力されるとそれぞれの補正信号値として４１が生成され、Ｒ信号＝４１、Ｇ信号＝４１、Ｂ信号＝２０４に補正し、
Ｒ信号＝２６、Ｇ信号＝２６、Ｂ信号＝２５５が入力されるとそれぞれの補正信号値として２８が生成され、Ｒ信号＝５４、Ｇ信号＝５４、Ｂ信号＝２５５に補正し、
Ｒ信号＝５１、Ｇ信号＝５１、Ｂ信号＝２５５が入力されるとそれぞれの補正信号値として１３が生成され、Ｒ信号＝６４、Ｇ信号＝６４、Ｂ信号＝２５５に補正することができる。
【００８０】
又、本実施例のＲ補正信号生成手段５０では、（Ｂ−（Ｒ×ＲＫ１））の演算結果により補正範囲が設定されるが、これ以外のＲ信号用に予め内部に設定されたＲ基準信号値、例えばＲ信号値が１０２（４０％）未満で補正信号を生成するとしても同様な効果が得られる。
さらに、（（Ｂ−（Ｒ×ＲＫ１））÷ＲＫ２）×Ｇ制御信号の演算結果により補正量が決定されるが、これ以外のＢ信号値に比例し、Ｒ信号値に逆比例し、Ｇ制御信号（Ｇ信号値に逆比例しＧ信号値とＧ基準信号値との差分値に比例）に比例し、幾つかの係数にて演算を行い大きさを調整する手段であっても同様な効果が得られる。
従ってＲ補正信号生成手段５０内に、新たにＲ信号用のＲ基準信号値を予め設定し、Ｂ信号値に比例し、Ｒ信号値に逆比例しＲ信号値とＲ基準信号値との差分値に比例し、Ｇ制御信号（Ｇ信号値に逆比例しＧ信号値とＧ基準信号値との差分値に比例）に比例し、幾つかの係数にて演算を行い大きさを調整する手段としても同様な効果が得られる。
例えば、Ｒ基準信号値をＲＳ、
Ｒ信号値に逆比例し、Ｒ信号値とＲ基準信号値との差分値に比例する信号をＲ制御信号とするとき、
Ｒ制御信号＝（（ＲＳ−Ｒ）÷ＲＳ）、ただしＲ制御信号は０〜１となる例、
Ｇ基準信号値をＧＳ、
Ｇ制御信号＝（（ＧＳ−Ｇ）÷ＧＳ）、ただしＧ制御信号は０〜１となる例であるとき、
Ｒ補正信号＝（（Ｂ÷係数）×Ｒ制御信号  ）×Ｇ制御信号、つまり、
Ｒ補正信号＝（（Ｂ÷ＲＫ２）×（（ＲＳ−Ｒ）÷ＲＳ））×（ＧＳ−Ｇ）÷ＧＳ）、
としても同様な効果が得られる。
【００８１】
又、本実施例のＧ補正信号生成手段５１では、（Ｂ−（Ｇ×ＧＫ１））の演算結果により補正範囲が設定されるが、これ以外のＧ信号用に予め内部に設定されたＧ基準信号値、例えばＧ信号値が１０２（４０％）未満で補正信号を生成するとしても同様な効果が得られる。
さらに、（（Ｂ−（Ｇ×ＧＫ１））÷ＧＫ２）×Ｒ制御信号の演算結果により補正量が決定されるが、これ以外のＢ信号値に比例し、Ｇ信号値に逆比例し、Ｒ制御信号（Ｒ信号値に逆比例しＲ信号値とＲ基準信号値との差分値に比例）に比例し、幾つかの係数にて演算を行い大きさを調整する手段であっても同様な効果が得られる。
従って、Ｇ補正信号生成手段５１内に、新たにＧ信号用のＧ基準信号値を予め設定し、Ｂ信号値に比例し、Ｇ信号値に逆比例しＧ信号値とＧ基準信号値との差分値に比例し、Ｒ制御信号（Ｒ信号値に逆比例しＲ信号値とＲ基準信号値との差分値に比例）に比例し、幾つかの係数にて演算を行い大きさを調整する手段としても同様な効果が得られる。
例えば、Ｇ基準信号値をＧＳ、
Ｇ信号値に逆比例し、Ｇ信号値とＧ基準信号値との差分値に比例する信号をＧ制御信号とするとき、
Ｇ制御信号＝（（ＧＳ−Ｇ）÷ＧＳ）、ただしＧ制御信号は０〜１となる例、
Ｒ基準信号値をＲＳ、
Ｒ制御信号＝（（ＲＳ−Ｒ）÷ＲＳ）、ただしＲ制御信号は０〜１となる例であるとき、
Ｇ補正信号＝（（Ｂ÷係数）×Ｇ制御信号  ）×Ｒ制御信号、つまり、
Ｇ補正信号＝（（Ｂ÷ＧＫ２）×（（ＧＳ−Ｇ）÷ＧＳ））×（ＲＳ−Ｒ）÷ＲＳ）、
としても同様な効果が得られる。
さらに例えば、ＲＳは予め設定された基準信号値であり１０２、
ＧＳは予め設定された基準信号値であり１０２、
ＧＫ２は所望する係数であり一例として５としたとき、生成されるＲ補正信号若しくはＧ補正信号の値は、
Ｂ信号＝２５５、Ｒ信号＝０、Ｇ信号＝０が入力されると補正信号値として５１が生成され、
Ｂ信号＝２３０、Ｒ信号＝０、Ｇ信号＝０が入力されると補正信号値として４６が生成され、
Ｂ信号＝２０４、Ｒ信号＝０、Ｇ信号＝０が入力されると補正信号値として４１が生成され、
Ｂ信号＝２５５、Ｒ信号＝２６、Ｇ信号＝２６が入力されると補正信号値として２８が生成され、
Ｂ信号＝２５５、Ｒ信号＝５１、Ｇ信号＝５１が入力されると補正信号値として１３が生成され、
Ｂ信号＝２５５、Ｒ信号＝１０２、Ｇ信号＝０、やＲ信号＝２５５、Ｇ信号＝０、Ｂ信号＝１０２の場合には補正信号は生成されず、同様な効果が得られる。
【００８２】
以上説明してきたように、Ｒ信号を補正する際に、Ｇ信号値とＧ基準信号値とに基づき生成されたＧ制御信号と、Ｒ信号値とＢ信号値とにより生成された補正信号と、に応じて補正量を変えて補正を行う事ができる。
これにより、濃い青に対してのみ補正を行い、Ｂ信号値に比例する傾向であり且つＲ信号値若しくはＧ信号値に逆比例した傾向であるＲ補正信号を生成し、このＲ補正信号をＲ信号に付加する補正を行い青色の見え方を変化させる。つまり、濃い青であるＢ信号値が大きくなるほど、若しくは、Ｒ信号値若しくはＧ信号値が小さくなるほど大きな補正量のＲ補正信号が付加される。逆に、Ｂ信号値が小さくなるほど、若しくは、Ｒ信号値若しくはＧ信号値が大きくなるほど補正量は小さくなり、さらに、Ｇ信号が所望する基準信号値以上であると補正信号は生成されない。
Ｇ信号を補正する際には、Ｒ信号値とＲ基準信号値とに基づき生成されたＲ制御信号と、Ｇ信号値とＢ信号値とにより生成された補正信号と、に応じて補正量を変えて補正を行う事ができる。
これにより、濃い青に対してのみ補正を行い、Ｂ信号値に比例する傾向であり且つＲ信号値若しくはＧ信号値に逆比例した傾向であるＧ補正信号を生成し、このＧ補正信号をＧ信号に付加する補正を行い青色の見え方を変化させる。つまり、濃い青であるＢ信号値が大きくなるほど、若しくは、Ｒ信号値若しくはＧ信号値が小さくなるほど大きな補正量のＧ補正信号が付加される。逆に、Ｂ信号値が小さくなるほど、若しくは、Ｒ信号値若しくはＧ信号値が大きくなるほど補正量は小さくなり、さらに、Ｒ信号が所望する基準信号値以上であると補正信号は生成されない。
このため、第３色盲を患う者が判別困難な見えにくい領域で有効に補正される事と、Ｒ信号若しくはＧ信号が所望する基準信号値以上である領域では補正がされないため健常者にとっても違和感が小さくなる事との両立が可能になる画像信号補正方法を実行するものである。
【００８３】
尚、３原色信号を表す量子化ｂｉｔ数は、８ｂｉｔ以外の所望するｂｉｔ数であること、若しくは８ｂｉｔ以外の所望するｂｉｔ数であり、且つ負を表すことが可能なサインビットを備える量子化方法であっても同様な効果が得られる。
【００８４】
さらに、実施例で説明に使用したＲＫ１、ＲＫ２、ＢＫ１、ＢＫ２、ＧＫ１及びＧＫ２等の係数は、他の所望する値であっても効果が得られる。
【００８５】
制御信号生成手段と補正信号生成手段とは、ルックアップテーブル方式であるデジタル化された階調のデータを任意の階調に補正するために入力と出力の対照表を利用することによる所望する補正値により、入力に対する所望する直線的若しくは曲線的な出力特性とする補正値の生成が可能であり、入力と出力とが一意に値が決定される補正信号を生成でき同様な効果が得られる。
【００８６】
又、画像信号で表わされる色空間がｓＲＧＢ表色系と、一意に変換が可能な表色系、例えばＲＧＢＡ表色系、若しくはＹＩＱ表色系、若しくはＹＣｂＣｒ表色系、若しくはＹＰｂＰｒ表色系、若しくはＸＹＺ表色系、若しくはｘｙＹ表色系、若しくはｘｖＹＣＣ表色系、で補正を行うことであっても同様な効果が得られる。
さらに、以上の実施形態は他の色を用いる場合にも適用できる。たとえば、画像形成に用いるイエロー、マゼンタ、シアンなどにおいても、同様の色弱対応の画像信号処理が可能である。
【産業上の利用可能性】
【００８７】
本発明は、画像信号の３原色信号であるＲ信号、Ｇ信号、Ｂ信号の内の所望する色信号を補正する際に、所望する色信号値と所望する色信号以外の色信号値とに応じた補正信号を生成し、さらにその二色以外の色信号値と所望する基準信号値とから生成された制御信号により、前記補正信号の大小を制御し、入力の画像信号に補正を行い出力する画像信号補正手段の動作方法であるため、
濃い赤に対してのみ補正を行い、Ｒ信号値に比例する傾向であり且つＧ信号値若しくはＢ信号値に逆比例した傾向であるＧ補正信号若しくはＢ補正信号を生成し、このＧ補正信号をＧ信号に付加する補正を行い若しくはＢ補正信号をＢ信号に付加する補正を行い赤色の見え方を変化させることができる。
このため、第１色盲を患う者が判別困難な見えにくい領域で有効に補正される事と、Ｇ信号若しくはＢ信号が所望する基準信号値以上である領域では補正がされないため健常者にとっても違和感が小さくなる事との両立が可能になる画像信号補正方法を実行できる。
さらに、濃い緑に対してのみ補正を行い、Ｇ信号値に比例する傾向であり且つＲ信号値若しくはＢ信号値に逆比例した傾向のＢ補正信号を生成し、このＢ補正信号をＢ信号に付加する補正を行い緑色の見え方を変化させることができる。
このため、第１色盲を患う者が判別困難な見えにくい領域で有効に補正される事と、Ｒ信号若しくはＢ信号が所望する基準信号値以上である領域では補正がされないため健常者にとっても違和感が小さくなる事との両立が可能になる画像信号補正方法を実行できる。
さらに、濃い青に対してのみ補正を行い、Ｂ信号値に比例する傾向であり且つＲ信号値若しくはＧ信号値に逆比例した傾向であるＲ補正信号若しくはＧ補正信号を生成し、このＲ補正信号をＲ信号に付加する補正を行い若しくはＧ補正信号をＧ信号に付加する補正を行い青色の見え方を変化させることができる。
このため、第３色盲を患う者が判別困難な見えにくい領域で有効に補正される事と、Ｒ信号若しくはＧ信号が所望する基準信号値以上である領域では補正がされないため健常者にとっても違和感が小さくなる事との両立が可能になる画像信号補正方法を実行できる。
従って、第１色盲若しくは第３色盲を患う者には判別困難で見えにくかった画像表示が、判別困難な見えにくい領域でのみ有効に色補正される事と、所望する基準信号値以上である領域では補正がされないため健常者にとっても違和感が小さくなる事と、の両立が可能となることを特徴とする表示装置を提供できる。
【符号の説明】
【００８８】
１０    画像信号補正手段
１０Ａ  画像信号補正手段
１０Ｂ  画像信号補正手段
２０    入力信号Ｒ用入力端子
２１    入力信号Ｇ用入力端子
２２    入力信号Ｂ用入力端子
３０    Ｒ基準信号生成手段
３１    Ｇ基準信号生成手段
３２    Ｂ基準信号生成手段
４０    Ｒ制御信号生成手段
４１    Ｇ制御信号生成手段
４２    Ｂ制御信号生成手段
５０    Ｒ補正信号生成手段
５１    Ｇ補正信号生成手段
５２    Ｂ補正信号生成手段
６０    Ｒ補正手段
６１    Ｇ補正手段
６２    Ｂ補正手段
７０    出力信号Ｒ用出力端子
７１    出力信号Ｇ用出力端子
７２    出力信号Ｂ用出力端子
【図１】
2010021986.tif 000012
【図２】
2010021986.tif 000013
【図３】
2010021986.tif 000014
【図４】
2010021986.tif 000015
【図５】
2010021986.tif 000016
【図６】
2010021986.tif 000017